(57)【要約】  Ａｂｒｅｕ脳熱トンネル（ＡＢＴＴ）を通じた脳温データの測定のための医療デバイスを説明する。脳温測定値は、疾患と健康の両方の重要で普遍的な指標であり、かつ感情ステータスによって作為的に変更することができない唯一の生命兆候である。現在、脳温は測定することが困難である。しかし、本発明の開示は、Ａｂｒｅｕ脳熱トンネルを容易に位置付けて脳の非接触温度読取を提供するように構成されたデバイスを説明する。本発明の開示のデバイスの実施形態は、個人が自分自身の温度を測定することを可能にし、かつ医療専門家が他者の温度を測定することを可能にする。【選択図】      図１
2017501844.tif 000002
【特許請求の範囲】
【請求項１】
ヒトＡｂｒｅｕ脳熱トンネル（ＡＢＴＴ）終端と相互作用するように構成された感知デバイスであって、
第１の端部及び第２の端部を含む本体部分と、
前記本体部分の前記第２の端部上に位置決めされたハンドル部分と、
前記本体部分上に位置決めされ、ディスプレイを含む表示部分と、
前記本体部分の前記第１の端部上に位置決めされたセンサを含み、自由端を含み、前記ＡＢＴＴ終端からの信号を受け入れるための該自由端の位置決めを可能にするように構成され、かつ少なくとも該ＡＢＴＴ終端の中心部分からの該信号を捕捉するための視野を含む感知部分と、
を含むことを特徴とする感知デバイス。
【請求項２】
前記センサは、光センサ、磁力計、無線周波数検出器、及び音波検出器からなる群のうちの１つであることを特徴とする請求項１に記載の感知デバイス。
【請求項３】
前記光センサは、赤外線センサであることを特徴とする請求項２に記載の感知デバイス。
【請求項４】
前記感知部分は、第１のＡＢＴＴ終端の測定のための第１の予め決められた角度と該第１のＡＢＴＴ終端から鼻の反対側にある第２のＡＢＴＴ終端の測定のための第２の予め決められた角度とで位置決めされるように構成されることを特徴とする請求項１に記載の感知デバイス。
【請求項５】
前記ディスプレイは、被検者又は患者によって見られるように感知デバイス上に位置決めされることを特徴とする請求項１に記載の感知デバイス。
【請求項６】
前記ディスプレイは、被検者又は患者上の感知デバイスを使用するオペレータによって見られるように感知デバイス上に位置決めされることを特徴とする請求項１に記載の感知デバイス。
【請求項７】
前記ディスプレイは、二重ディスプレイとして構成され、該二重ディスプレイの第１のディスプレイが、被検者又は患者によって見られるように感知デバイス上に位置決めされ、該二重ディスプレイの第２のディスプレイが、該被検者又は患者上の感知デバイスを使用するオペレータによって見られるように感知デバイス上に位置決めされることを特徴とする請求項１に記載の感知デバイス。
【請求項８】
前記感知部分の前記自由端上に位置決めされるように構成された取外し可能延長部を更に含むことを特徴とする請求項１に記載の感知デバイス。
【請求項９】
ヒトＡｂｒｅｕ脳熱トンネル（ＡＢＴＴ）終端と相互作用するように構成された感知デバイスであって、
第１の端部及び第２の端部を含む本体部分と、
前記本体部分の前記第２の端部上に位置決めされたハンドル部分と、
前記本体部分上に位置決めされ、ディスプレイを含む表示部分と、
前記本体部分の前記第１の端部上に位置決めされた赤外線センサを含み、自由端を含み、前記ＡＢＴＴ終端からの赤外線エネルギを受け入れるための該自由端の位置決めを可能にするように構成され、かつ少なくとも該ＡＢＴＴ終端の中心部分からの該赤外線エネルギを捕捉するための視野を含む感知部分と、
を含むことを特徴とする感知デバイス。
【請求項１０】
前記ハンドル部分は、前記本体部分に対して固定されるように構成されることを特徴とする請求項９に記載の感知デバイス。
【請求項１１】
前記ハンドル部分は、前記本体部分に対する複数の向きに移動可能であるように構成されることを特徴とする請求項９に記載の感知デバイス。
【請求項１２】
鼻インタフェースを更に含むことを特徴とする請求項９に記載の感知デバイス。
【請求項１３】
前記鼻インタフェースは、前記ＡＢＴＴ終端からの赤外線エネルギを捕捉するように前記感知部分の前記自由端を位置決めすることを特徴とする請求項１２に記載の感知デバイス。
【請求項１４】
ヒトＡｂｒｅｕ脳熱トンネル（ＡＢＴＴ）終端と相互作用するように構成された感知デバイスであって、
第１の端部及び第２の端部を含む本体部分と、
前記本体部分の前記第２の端部上に位置決めされたハンドル部分と、
前記本体部分の前記第１の端部上に位置決めされた赤外線センサを含み、自由端を含み、前記ＡＢＴＴ終端から赤外線エネルギを受け入れるための該自由端の位置決めを可能にするように構成され、かつ少なくとも該ＡＢＴＴ終端の中心部分からの該赤外線エネルギを捕捉するための視野を含む感知部分と、
前記赤外線センサによって捕捉された前記赤外線エネルギに関連するデータを表示するように構成されたディスプレイと、
を含み、
前記ディスプレイは、前記赤外線センサが赤外線エネルギを受け入れながら広告を提示するように構成される、
ことを特徴とする感知デバイス。
【請求項１５】
前記広告は、該広告の終了時に温度を提示するように移行することを特徴とする請求項１４に記載の感知デバイス。
【請求項１６】
前記広告は、前記赤外線エネルギから決定された測定値が予め決められた値を超えた時に、医療デバイスを得る提案を提供する画面によって置換されることを特徴とする請求項１４に記載の感知デバイス。
【請求項１７】
スポンサーを示すメッセージが、前記画面の一部分に提示されることを特徴とする請求項１６に記載の感知デバイス。
【請求項１８】
温度読取値が、前記広告の呼び物上に提示されることを特徴とする請求項１５に記載の感知デバイス。
【請求項１９】
前記温度読取値は、ナンバープレート上に提示されることを特徴とする請求項１８に記載の感知デバイス。
【請求項２０】
前記温度読取値は、商業店舗又は販売業者店舗の看板上に提示されることを特徴とする請求項１８に記載の感知デバイス。
【発明の詳細な説明】
【技術分野】
【０００１】
本発明の開示は、生体パラメータをモニタするための医療デバイスに関する。
【背景技術】
【０００２】
様々な生体パラメータを測定かつモニタするための診断法が存在する。測定することができる多くの生体パラメータの中には、脈拍、血圧、心機能（ＥＫＧ）、脳機能（ＥＥＧ）、温度等がある。
【先行技術文献】
【特許文献】
【０００３】
【特許文献１】米国特許第７，１８７，９６０号号明細書
【特許文献２】米国特許第８，１７２，４５９号号明細書
【特許文献３】米国特許第８，３２８，４２０号号明細書
【特許文献４】米国特許第８，７２１，５６２号号明細書
【特許文献５】米国特許第８，８３４，０２０号号明細書
【特許文献６】米国特許第８，８４９，３７９号号明細書
【発明の概要】
【課題を解決するための手段】
【０００４】
本発明の開示は、ヒトＡｂｒｅｕ脳熱トンネル（ＡＢＴＴ）終端と相互作用するように構成された感知デバイスを提供する。感知デバイスは、本体部分と、ハンドル部分と、表示部分と、感知部分とを含む。本体部分は、第１の端部と第２の端部を含む。ハンドル部分は、本体部分の第２の端部上に位置決めされる。表示部分は、本体部分上に位置決めされ、表示部分は、ディスプレイを含む。感知部分は、本体部分の第１の端部上に位置決めされたセンサを含み、感知部分は、自由端を含む。自由端は、ＡＢＴＴ終端からの信号を受け入れるように構成され、かつ少なくともＡＢＴＴ終端の中心部分からのこの信号を捕捉するための視野を有する。
【０００５】
本発明の開示はまた、ヒトＡｂｒｅｕ脳熱トンネル（ＡＢＴＴ）終端と相互作用するように構成された感知デバイスを提供する。感知デバイスは、本体部分と、ハンドル部分と、表示部分と、感知部分とを含む。本体部分は、第１の端部と第２の端部を含む。ハンドル部分は、本体部分の第２の端部上に位置決めされる。表示部分は、本体部分上に位置決めされ、表示部分は、ディスプレイを含む。感知部分は、本体部分の第１の端部上に位置決めされた赤外線センサを含む。感知部分は、自由端を含み、かつＡＢＴＴ終端から赤外線エネルギを受け入れるための自由端の位置決めを可能にするように構成され、かつ少なくともＡＢＴＴ終端の中心部分からのこの赤外線エネルギを捕捉するための視野を含む。
【０００６】
本発明の開示はまた、ヒトＡｂｒｅｕ脳熱トンネル（ＡＢＴＴ）終端と相互作用するように構成された感知デバイスを提供する。感知デバイスは、本体部分と、ハンドル部分と、感知部分と、ディスプレイとを含む。本体部分は、第１の端部と第２の端部を含む。ハンドル部分は、本体部分の第２の端部上に位置決めされる。感知部分は、本体部分の第１の端部上に位置決めされた赤外線センサを含む。感知部分は、自由端を含み、かつＡＢＴＴ終端から赤外線エネルギを受け入れるための自由端の位置決めを可能にするように構成され、かつ少なくともＡＢＴＴ終端の中心部分からのこの赤外線エネルギを捕捉するための視野を含む。ディスプレイは、赤外線センサによって捕捉された赤外線エネルギに関連するデータを表示するように構成された個別の電子デバイス上に位置決めされる。ディスプレイは、赤外線センサが赤外線エネルギを受け入れながら広告を提示するように構成される。
【０００７】
本発明の開示の実施形態の利点及び特徴は、以下に続く例示的実施形態の詳細説明を添付図面に関連付けて見る時により明らかになるであろう。
【図面の簡単な説明】
【０００８】
【図１】ハンドル部分が第１の位置にある本発明の開示の例示的実施形態による感知デバイスの側面図である。
【図２】ハンドル部分が第２の位置にある図１の感知デバイスの側面図である。
【図３】ハンドル部分が第３の位置にある図１の感知デバイスの端面図である。
【図４】ハンドル部分が図１の第１の位置にある図３と類似の端面図である。
【図５】図３に示す端面と反対の感知デバイス端面から示した図３の感知デバイスの端面図である。
【図６】図４に示す端面と反対の感知デバイス端面から示した図４の感知デバイスの端面図である。
【図７】図２の感知デバイスの上面図である。
【図８】図１の感知デバイスの上面図である。
【図９】図１の感知デバイスの底面図である。
【図１０】図３及び図５の感知デバイスの上面図である。
【図１１】ハンドル部分が感知デバイスの軸の周りに９０度回転された図２の図と類似の感知デバイスの図である。
【図１２】図３及び図５の感知デバイスの側面図である。
【図１３】本発明の開示の例示的実施形態による感知デバイスの側面図である。
【図１４】図１３の感知デバイスの正面図である。
【図１５】図１３の感知デバイスの背面図である。
【図１６】鼻インタフェース部分のない図１３の感知デバイスの上面図である。
【図１７】鼻インタフェース部分のない図１３の感知デバイスの底面図である。
【図１８】本発明の開示の例示的実施形態による感知デバイスの側面図である。
【図１９】図１８の感知デバイスの正面図である。
【図２０】図１８の感知デバイスの背面図である。
【図２１】図１８の感知デバイスの上面図である。
【図２２】図１８の感知デバイスの底面図である。
【図２３】本発明の開示の例示的実施形態による感知デバイスの側面図である。
【図２４】図２３の感知デバイスの正面図である。
【図２５】図２３の感知デバイスの背面図である。
【図２６】図２３の感知デバイスの上面図である。
【図２７】図２３の感知デバイスの底面図である。
【図２７Ａ】本発明の開示の例示的実施形態による感知デバイスの側面図である。
【図２８】作動中の図２３の感知デバイスの側面図である。
【図２９】作動中の図２３の感知デバイスの側面図である。
【図３０】本発明の開示の例示的実施形態による感知デバイスの底面図である。
【図３１】図３０の感知デバイスの上面図である。
【図３２】図３０の感知デバイスの側面図である。
【図３３】図３０の感知デバイスの正面図である。
【図３４】図３０の感知デバイスの背面図である。
【図３５】本発明の開示の例示的実施形態による感知デバイスの底面図である。
【図３６】図３５の感知デバイスの上面図である。
【図３７】図３５の感知デバイスの側面図である。
【図３８】図３５の感知デバイスの正面図である。
【図３９】図３５の感知デバイスの背面図である。
【図４０】本発明の開示の例示的実施形態による感知部分の図９の線４０−４０に沿った断面図である。
【図４１】本発明の開示の例示的実施形態による別の感知部分の図４０の断面図と類似の断面図である。
【図４２】本発明の開示の例示的実施形態による別の感知部分の図４０の断面図と類似の断面図である。
【図４３】本発明の開示の例示的実施形態による感知部分の円筒構造体の図である。
【図４４】本発明の開示の例示的実施形態による感知部分の円筒構造体の断面図である。
【図４５】本発明の開示の例示的実施形態による導波管の端面図である。
【図４６】図４５の導波管の線４６−４６に沿った断面図である。
【図４７】図４６とは異なる位置にある赤外線センサを示す図４６と類似の断面図である。
【図４８】図４６及び図４７とは異なる位置にある赤外線センサを示す図４５の導波管と類似の導波管の部分断面視図である。
【図４７】図４５の導波管の斜視端面図である。
【図４８】図４７に示す端面とは反対からの図４５の導波管の斜視端面図である。
【図４９】本発明の開示の例示的実施形態による搬送容器の側面図である。
【図５０】開放位置にある図４９の搬送容器の側面図である。
【図５１】蓋部分が搬送容器を支持している図４９の搬送容器の側面図である。
【図５２】本発明の開示の例示的実施形態による導波管の図である。
【図５３】本発明の開示の例示的実施形態による感知過程の図である。
【図５４】本発明の開示の例示的実施形態による測定値の指示を示す表示部分の図である。
【図５５】本発明の開示の例示的実施形態による広告シーケンスの一部分を示す図５４の表示部分の図である。
【図５６】本発明の開示の例示的実施形態による広告シーケンスの別の部分を示す図５４の表示部分の図である。
【図５７】本発明の開示の例示的実施形態による広告シーケンスの更に別の部分を示す図５４の表示部分の図である。
【図５８】本発明の開示の例示的実施形態により広告シーケンスの一部分との組合せで測定温度を示す図５４の表示部分の図である。
【図５９】本発明の開示の例示的実施形態によりスポンサーメッセージに加えて医師忠告を求めることを考える勧告と共に温度を示す図５４の表示部分の図である。
【図６０】ＡＢＴＴとＡＢＴＴに関連付けられた顔面静脈との概略図である。
【図６１】Ａｂｒｅｕ脳熱トンネルとある一定の他の顔面特徴部とを示すヒトの頭蓋骨を垂直方向に通る略部分断面図である。
【図６２】ＡＢＴＴ走査区域内のＡＢＴＴ終端を示す顔面の図である。
【図６３】本発明の開示の例示的実施形態による感知デバイスの正面図と見なすことができる端面図である。
【図６３Ａ】本発明の開示の例示的実施形態による感知部分の第２の自由端の側面図である。
【図６３Ｂ】ＡＢＴＴ終端を位置付けるために走査される例示的区域を示す図である。
【図６３Ｃ】本発明の開示の例示的実施形態によるＡＢＴＴ終端のための第１の走査方法を示す図である。
【図６３Ｄ】本発明の開示の例示的実施形態によるＡＢＴＴ終端のための第２の走査方法を示す図である。
【図６３Ｅ】本発明の開示の例示的実施形態によるＡＢＴＴ終端のための第３の走査方法を示す図である。
【図６３Ｆ】本発明の開示の例示的実施形態によるＡＢＴＴ終端のための第４の走査方法を示す図である。
【図６３Ｇ】ＡＢＴＴ終端を位置付けるために走査される別の例示的区域を示す図である。
【図６３Ｈ】本発明の開示の例示的実施形態による動物のための例示的走査区域を示す図である。
【図６３Ｉ】本発明の開示の例示的実施形態による動物のための別の例示的走査区域を示す図である。
【図６３Ｊ】本発明の開示の例示的実施形態による動物のための更に別の例示的走査区域を示す図である。
【図６４】図６３の感知デバイスの上面図である。
【図６５】本発明の開示の例示的実施形態による別の感知デバイスの図である。
【図６６Ａ】本発明の開示の例示的実施形態による赤外線センサ又は検出器アレイの図である。
【図６６Ｂ】図６６Ａの赤外線センサアレイの様式的出力の図である。
【図６７】本発明の開示の例示的実施形態による感知部分上に位置決めされた延長部の図である。
【図６８】図６７の延長部及び感知部分の線６８−６８に沿った図である。
【図６９】本発明の開示の例示的実施形態により個別デバイスに取り付けられるように構成された感知デバイス又は装置の図である。
【図７０】単に個別デバイスと無線通信するように構成された図６９の感知デバイスと類似の感知デバイス又は装置の図である。
【図７１】本発明の開示の例示的実施形態による電子デバイスのディスプレイの図である。
【図７２】測定結果を示す図７１のディスプレイの別の図である。
【図７３】本発明の開示の別の例示的実施形態による図７１のディスプレイの図である。
【図７４】本発明の開示の更に別の例示的実施形態による図７１のディスプレイの図である。
【図７５】本発明の開示の更に別の例示的実施形態による図７１のディスプレイの図である。
【発明を実施するための形態】
【０００９】
ヒト及び動物において身体の熱ステータスを評価する最も精密、正確、かつ臨床的に有利な手法は、脳温を測定することによるものである。脳温測定値は、疾患と健康の両方の重要で普遍的な指標であり、感情の状態によって作為的に変更することができない唯一の生命兆候である。全ての他の測定可能な生命兆候（例えば、心拍数、血圧、及び呼吸数）は、感情の状態又は自主的な努力によって影響を及ぼし、人為的に変更することができる。現在、脳温は測定することが困難である。しかし、本発明の開示は、以下により詳しく説明するようにＡｂｒｅｕ脳熱トンネルを容易に位置付け、かつ脳の接触又は非接触温度読取を可能にするように構成されたデバイスを説明する。本発明の開示のデバイスの実施形態は、個人が自分自身の温度を測定することを可能にし、かつ医療専門家が他者の温度を測定することを可能にする。
【００１０】
体温は、熱を赤外線放射線として放出する血液の温度によって決定される。脂質組織（すなわち、脂肪組織）は赤外線エネルギを吸収し、身体は、皮膚に取り付けた脂質組織の層によって事実上完全に防護される。従って、従来の皮膚上温度測定は、従来の技術が、脂質組織の存在によって特徴付けられる皮膚上に位置決めされたセンサを使用するものであったので、もとより不精密で不正確なものであった。例えば、温度センサは、従来、舌下、額上、脇下、及び直腸に位置決めされている。脂肪の存在、流れる血液からの距離、又はこれらの両方により、表面の場所における温度測定は、深部体温と比較した場合にこれらの場所で考えられる低い温度を補償するための調節を一般的に必要とする。
【００１１】
不正確性及び不精密さに加えて、従来の温度測定は接触測定であるので、そのような接触は、伝染病の感染のリスクを招く。深部体温の測定のための非接触デバイスは、ＳＡＲＳ、インフルエンザなどのようなある一定の感染性ウイルス及び他の病気の感染の可能性を低下させることになる。自己測定に向けた個人によるもの又は医療専門家によるもののいずれであるかに関わらず、Ａｂｒｅｕ脳熱トンネル（ＡＢＴＴ）の赤外線出力を読み取るように位置決めされるように構成され、かつ低体温症及び熱疲労のような熱撹乱を適正に検出するように構成される非接触デバイスは、脳温を測定するための簡単、正確、かつ非侵襲的なデバイス又は装置を与えることになる。そのような機能は、一日中多くの患者を診る場合があり、かつ従来の体温計の衛生カバー及び／又は滅菌を一般的に必要とする医院のような臨床環境に対して有利である。しかし、家庭における簡単で正確な適時の温度評価も価値があり、それによって緊急の場合をより迅速に容易に診断することができ、時には医師を尋ねる必要性を軽減することができる。例示的実施形態の多くは非接触デバイスを開示するが、本明細書で説明する実施形態は、例示的実施形態において示すもののような接触センサ又は検出器と共に使用することができることを理解しなければならない。
【００１２】
個々で又は組合せで使用することができ、ヒト又は動物の生体的、肉体的、及び化学的パラメータを測定するために生理学的トンネルにアクセスするように設計された感知及び報告システムが開示されている。そのようなシステムは、米国特許第７，１８７，９６０号明細書、第８，１７２，４５９号明細書、第８，３２８，４２０号明細書、第８，７２１，５６２号明細書、第８，８３４，０２０号明細書、及び第８，８４９，３７９号明細書に記載されており、これらの文献は、その全体が引用によって本明細書に組み込まれている。解剖学的かつ生理学的には、これまで本出願人が脳温度トンネルと記載していたＡｂｒｅｕ脳熱トンネル（本明細書ではＡＢＴＴと記す）は、無撹乱生理学的信号を体外に伝達する解剖学的経路である。ＡＢＴＴは、脳の視床下部領域である体内の機能（信号）のソースとＡＢＴＴ終端として説明することができるトンネルの端部上の、それにわたる、又はそれに隣接する皮膚上の体外点との間の直接的で無撹乱の接続部を含む。この生理学的トンネルは、身体の生理学に関する連続的かつ一体的データを伝達する。本出願人が示すように、ＡＢＴＴは、脂肪がない皮膚面（高熱伝導率）と脂肪によって囲まれたＡＢＴＴの体内部分（低熱伝導率）とを有する高熱伝導率及び低熱伝導率の区域を含む独特の構成を有する。体内からの無撹乱信号は、ＡＢＴＴの端部にわたる、その上の、又はそれに隣接する皮膚上の体外点に送出される。トンネルの端部にある皮膚上に位置付けられたセンサ又は検出器は、干渉構成要素及び誤差ソースを伴わない脳からの最適な信号取得を可能にする。例示的実施形態において、そのような信号は赤外線信号であり、センサ又は検出器は、赤外線センサ又は検出器である。別の例示的実施形態において、信号は、高周波信号であり、センサ又は検出器は、高周波受信機である。更に別の実施形態において、信号は、ヒトの典型的な聴取範囲の上下の周波数範囲にある可能性がある音信号であり、センサ又は検出器は、適切な周波数範囲を受け入れる機能を有する音声センサ又は検出器である。更に別の実施形態において、信号は、磁気信号又は電磁信号であり、センサ又は検出器は、磁気エネルギを読み取るように構成された磁力計又は他のセンサである。従って、ＡＢＴＴ終端からは、複数のエネルギ形態、例えば、磁気エネルギ、音エネルギ、光エネルギ、及び電波エネルギを検出することができることを理解しなければならない。
【００１３】
ＡＢＴＴ終端における温度は、例えば、人が典型的な室内環境において休息している時に発生する可能性がある深部温度又は体内体温、又は例えば温度が９９°Ｆよりも高い環境において湿度、風条件等に依存して発生する可能性がある皮膚温度に対応する可能性もあることも理解しなければならない。一般的に深部温度と体内体温は、そのような温度を体幹の体内温度として説明する場合に同義である。従って、本明細書における説明の目的では、ＡＢＴＴ区域において測定されるあらゆる温度に対して「脳温」を使用する。
【００１４】
ＡＢＴＴターゲット区域の皮膚との接触を通して温度を測定するためにユーザの身体に取り付けられるように設計された１組の支持構造体は、先に引用した特許のうちの１又は２以上においてこれまでに解説され、開示されている。そのような構造体は多くの利点を提供するが、皮膚への接触を必要とせずに脳温を非侵襲的に測定するように構成された使い易い装置は、高い精度、少ない伝染病感染機会、及び高い測定速度を可能性として含む利点を提供する。
【００１５】
赤外線センサを有するように構成され、かつＡＢＴＴターゲット区域の温度を周囲区域の値の測定又は推定を含むことなく測定するための適切な視野を有するように構成された装置も、ＡＢＴＴ温度の診断及び測定に利点を提供することになる。しかし、ＡＢＴＴ終端に対する周囲区域の比較測定及び推定が本発明の範囲にあることを理解しなければならない。例示的実施形態において、ＡＢＴＴ終端を取り囲む眉又はその上で切断された円の直径１０センチメートルの区域をＡＢＴＴ終端に対する比較に向けて測定することができる。別の例示的実施形態において、ＡＢＴＴ終端を取り囲む眉又はその上で切断された円の直径８センチメートルの区域をＡＢＴＴ終端に対する比較に向けて測定することができる。更に別の例示的実施形態において、ＡＢＴＴ終端を取り囲む眉又はその上で切断された円の直径６センチメートルの区域をＡＢＴＴ終端に対する比較に向けて測定することができる。更に別の例示的実施形態において、ＡＢＴＴ終端を取り囲む眉又はその上で切断された円の直径３センチメートルの区域をＡＢＴＴ終端に対する比較に向けて測定することができる。比較に向けて採用する区域が大きい程、分析に必要な処理時間は長く、結果を受け入れるのに長い時間を消費することになることを理解しなければならない。一般的にこれらの区域は、本明細書で説明するようにほぼ眉と眼の間の中間部分で鼻の近くに位置するＡＢＴＴ終端を中心とするものである。例示的実施形態において、処理回路は、ＡＢＴＴ終端の周りの周囲区域を温度の計算から減算又は除外するように適応又は構成される。ＡＢＴＴ終端を取り囲む皮膚区域は、一般的にＡＢＴＴ終端よりも低い温度にあることに注意しなければならない。しかし、ＡＢＴＴ終端がＡＢＴＴ終端よりも低い、より冷温、又はより低温の温度にある条件も存在する可能性がある。例示的実施形態において、装置は、周囲区域と比較して高い熱放出を有する区域であるＡＢＴＴ上、それにわたる、又はそれに隣接するＡＢＴＴの主進入点に対応する面上の区域を表示するための視野を有するように構成される。例示的実施形態において、この区域は、９ｍｍ又はそれよりも小さい直径、より好ましくは、６ｍｍ又はそれよりも小さい直径、より好ましくは、３ｍｍ又はそれよりも小さい直径、非常に好ましくは、２ｍｍ又はそれよりも小さい直径を有する区域を含み、これらの全てが、ＡＢＴＴ終端を中心としている。ＡＢＴＴ区域は、好ましくは、上瞼区域及び眼と眉の間の区域を含むことを理解しなければならない。ＡＢＴＴターゲット区域又は終端に対する比較に向けて使用される領域又は区域は、本発明の開示の多くの実施形態によって測定される区域としての涙丘又は眼の面のコーナの区域も含むことを更に理解しなければならない。
【００１６】
代替実施形態において、視野はＡＢＴＴ終端よりも大きい。例示的実施形態において、装置は、２０ｍｍ又はそれよりも小さい直径を有する区域、より好ましくは、１５ｍｍ又はそれよりも小さい直径を有する区域，更により好ましくは、１０ｍｍ又はそれよりも小さい直径を有する区域，非常に好ましくは、７ｍｍ又はそれよりも小さい直径を有する区域に対応するＡＢＴＴ終端上の、それにわたる、又はそれに隣接する皮膚の面上の区域を表示するための視野を有するように構成される。この実施形態において、装置は、脳温を表すＡＢＴＴ領域のピーク温度を決定又は位置付けるように構成される。ピーク温度を決定又は位置付けるために、装置は、赤外線センサ又はいずれかの非接触温度センサ又は検出器からの入力を解析するコントローラ又はプロセッサを有するように構成することができる。接触熱センサを使用することができ、接触熱センサが本発明の範囲にあることも理解しなければならない。本明細書で更に説明するように、コントローラは、ＩＲセンサ内の個々のピクセルの赤外線（ＩＲ）強度を解析し、この強度を温度に相関付けることができる。これに代えて、ＡＢＴＴ区域全体の累積読取値を取得することができ、得られるデータをコントローラによってＡＢＴＴの外側の領域を排除するように数学的に調節することができる。異なる人々の間で解剖学的差が存在する可能性があるので、ＡＢＴＴの温度を計算するのにある程度の推定を必要とする可能性があるが、３ｍｍよりも大きいスポット又は区域を捉える画界を使用するにも関わらず、最も高温の区域の画界を計算することができる。
【００１７】
例示的実施形態において、赤外線検出器の導波管は、実施形態として５ｍｍの大きさの区域を表示するための視野を有する。この区域は、一般的に最も高いか又は最も熱い温度であるＡＢＴＴ終端の主要な進入／退出点を含み、更に、異なる一般的に低い温度の周囲区域を含む。プロセッサは、ＡＢＴＴを取り囲む約１ｍｍの幅を有する環状の温度を計算し、この数値を用いて最高温区域の温度を決定する。例えば、３ｍｍのＡＢＴＴ区域が３７℃の温度を有し、周囲区域が３６度の温度を有する場合に、５ｍｍの直径を表示することにより、平均温度は３６．５℃である場合があり、これは、ＡＢＴＴ区域のピーク温度を約０．５℃下回ることを意味する。この場合に、コントローラ又はプロセッサは、０．５℃を加算して高温区域の温度（３７℃）を達成する。
【００１８】
別の例示的実施形態において、装置は、直径７ｍｍの視野を含むように構成される。この場合に、コントローラ又はプロセッサは、ＡＢＴＴ終端の周りに２ｍｍの幅を有する環とすることができる、ＡＢＴＴ終端の周りの区域の温度を計算し、ＡＢＴＴ終端から離れた区域の温度差が、全体的な測定数値に加算される。一例として、直径３ｍｍのＡＢＴＴ終端が３６．５℃の温度であり、７ｍｍの視野を有する装置は、全体の区域を３５．６℃と測定する。ＡＢＴＴを取り囲む低温区域に起因して約０．９℃の温度差がもたらされる。言ってみれば、ＡＢＴＴは、冷水の湖によって囲まれた炎の島のようなものであり、水は、ＡＢＴＴ島からの距離に伴ってより低温になる。従って、コントローラ又はプロセッサは、ＡＢＴＴの２ｍｍ幅のリング又は環状区域が約１度の損失（ＡＢＴＴ終端の温度を計算するためにコントローラ又はプロセッサによって使用される予め決められた損失）をもたらすという推定を行い、次いで、コントローラは、７ｍｍのスポット又は直径の視野を用いて得られる測定値に１度を加算する。従って、この例では、７ｍｍの視野を用いた全体の視野にわたる３５．６℃の測定平均温度に１℃を加算することにより、最終結果は３６．６度であり、この結果は３６．５度の測定真値に非常に近い。類似の技術を加算ファクタの数値を増加することによってあらゆるサイズの区域に適用することができる。本手法及びデバイス又は装置は、赤外線センサ、熱電対列などのアレイを好ましくは３×３センサアレイ、４×４センサアレイ、及び５×５センサアレイを含むがこれらに限定されない様々な構成で含むことができることを理解しなければならない。しかし、センサのサイズに基づいて、６×６アレイから２０×２０アレイの間の範囲を使用することができ、この範囲は本発明の範囲にある。アレイは非対称とすることができ、中心にある１つのセンサは、実施形態として２個から２０個までのセンサによって囲まれる好ましくは４個又はそれ未満のセンサ、非常に好ましくは、８個又はそれ未満のセンサ、更に非常に好ましくは、１２個又はそれ未満のセンサによって囲まれるものを含むことを更に理解しなければならない。また、中心に位置付けられるセンサは、他のセンサによって囲まれた３つの中心位置付けセンサを含むがこれに限定されない１よりも多いセンサを含むことができることも理解しなければならない。そのようなアレイ又は複数のセンサに対する処理は、主進入点での温度を識別することに関して記述したものと類似の方式で行われ、更に最高温度と周囲温度を含む。開示するように、ある一定の状況では、最高温度は、ＡＢＴＴの主進入点にあるもの（脳温に等しい）ではなく、この事例ではより低い温度が、脳温又はターゲット温度として選択される温度である。また、本手法及びデバイス又は装置は、正確なターゲットを表示することが可能ではなく、周囲区域の表示があるか又は体内の異なる温度の区域によって囲まれた未知のターゲット区域がある他の分野に対して使用することができることも理解しなければならない。
【００１９】
更に別の例示的実施形態において、熱撮像カメラがＡＢＴＴ終端区域よりも大きい区域を表示し、周囲区域の実温度を把握することにより、熱撮像カメラのコントローラが、ＡＢＴＴ終端の正確なピーク温度レベルを計算することができる。コントローラは、温度調節ファクタ又は温度補償ファクタＦによって表されるＡＢＴＴ終端を取り囲む区域の温度を使用する。温度ファクタＦは、これに代えて、ＡＢＴＴ終端を取り囲む区域が低温である場合に測定温度値に加算されるか、又はＡＢＴＴ終端を取り囲む区域が主区域よりも高温である場合は測定温度値から減算される。ＡＢＴＴ上の、それにわたる、又はそれに隣接する皮膚が、ＡＢＴＴ終端を取り囲む皮膚よりも高温であるか又は暖かい典型的な状況では、温度ファクタＦは、ＡＢＴＴの縁部からの距離と共に増加するか又は検出器スポットサイズの直径が増大すると共に増加し、すなわち、温度の調節又は補償は、検出器視野と共に増加する。例示的実施形態において、装置は、ＩＲの画像又はデータを解析し、ＡＢＴＴ終端の温度を決定するように適応又は構成されたコントローラ又はプロセッサを含み、更に、プロセッサによる計算に使用される値、並びに計算の結果を格納するための非一時的メモリを含む。
【００２０】
更に別の例示的実施形態において、本発明の開示は、医院から個人の自宅までの様々な環境に対して有利なツールとして機能するＡＢＴＴ終端を通して脳温を測定するための手持ち式装置を含む。例示的実施形態において、ツールは、ＡＢＴＴターゲット区域、すなわち、ＡＢＴＴ終端において行われる測定、又は測定値が得られている人の眼の近くに位置決めされるあらゆる装置に関する可能性がある、ある程度の「驚愕ファクタ」を取り除くように構成される。例示的実施形態において、装置又はデバイスは、保存、搬送、及び操作において利点を与えるように構成される。
【００２１】
本発明の開示の実施形態は、例示的なものであり、当業者は、これらの実施形態のある一定の変形及び修正が本発明の開示の範囲にある内在的なものであることを理解するであろう。
【００２２】
本発明の開示は、非侵襲的であり、センサと被検者又は患者の皮膚との接触を必要とせずにＡＢＴＴ終端又はＡＢＴＴターゲット領域における温度を測定するための装置の実施形態を説明する。これに代えて、プローブ又は導波管の先端は、眼と眉の間の領域内にある場所に位置決めされたＡＢＴＴ終端区域のような生理学的トンネルにおける患者又は被検者の皮膚上で静止することができる。
【００２３】
本発明の開示は、ＡＢＴＴ終端からの熱放射線を収集するための装置を含み、この熱放射線、すなわち、熱放射線の強度は、脳温又は深部温度、又は皮膚自体の温度に変換することができる。そのような変換は、ヒトの皮膚の放出率で公知であり、ＩＲセンサが強度を測定することで可能である。これら２つの値から、体温を決定することができる。
【００２４】
本発明の開示は、ＡＢＴＴ終端からの熱放出を収集する段階と、収集された熱放出（すなわち、強度）に対応する信号を生成する段階と、信号を処理する（すなわち、温度を計算する）段階と、温度を報告する段階とを含む方法を用いて体温を決定する方法を更に提供する。ＡＢＴＴの周囲区域の温度に従って温度を調節する更に別の段階を含めることができ、この段階は本発明の範囲にあることを理解しなければならない。グルコース、コレステロール、アルコールのような化合物、身体に存在するいずれかの検体、身体によって受け入れられるいずれかの化学物質、抗体のような体内で生成されるいずれかの要素、身体に存在するいずれかの微生物を含む他の生体パラメータは、類似の方式で測定することができることも理解しなければならない。他の生体パラメータが識別される実施形態において、その存在又は濃度を識別するために、ＡＢＴＴ終端から受け入れられる要素の放射線痕跡又は熱痕跡が使用される。
【００２５】
更に別の例示的実施形態において、正確な脳温を決定するために、ＡＢＴＴ終端において測定される信号の値は、脳温ファクタ「ＢＦ」に加算される。この例示的実施形態において、ファクタＢＦは、実脳温を測定し、皮膚において測定される温度と脳内で測定される温度との間の差を識別することによって経験的に計算することができる。次いで、ＢＦファクタは、ＡＢＴＴ終端又はＡＢＴＴ皮膚区域において温度を測定する際に実脳温を与えるために使用される。コントローラ又はプロセッサは、メモリに格納されたＢＦファクタを用いて、装置によって計算された値を脳温に対応する値に調節する。方法及び装置は、ＡＢＴＴ皮膚終端区域において得られた値を用いて、脳温値、すなわち、実験的に測定されたＢＦファクタに基づいて実脳温を計算するコントローラ又はプロセッサ及び不揮発性メモリを含む。脳柔組織温度から計算されたＢＦファクタは、瞼皮膚上のＡＢＴＴ終端から脳温を決定するための調節範囲を与える。限定ではなく例示として、好ましいＢＦファクタは、１．７℃に等しいか又はそれ未満であり、より好ましくは、１．０℃に等しいか又はそれ未満であり、更に好ましくは、０．５℃に等しいか又はそれ未満であり、更に好ましくは、０．３℃に等しいか又はそれ未満である。脳温、並びにＡＢＴＴ終端における温度の経験的又は実験的な測定は、接触センサ、非接触センサ（赤外線を含む）、及び熱撮像を含むＡＢＴＴ終端の範囲で温度を測定するように構成された本明細書で説明する装置又はデバイスによって取得することができる。
【００２６】
上述の解説は、調節ファクタ又は補償ファクタＢＦを記述したが、ＡＢＴＴ終端が視床下部の領域内の脳深部に直接的に関連付けられることを考慮すると、そのようなファクタは、ヒトでは、一般的に比較的小さい値であるが、極限な高温又は低温というある一定の状況では、ＢＦファクタは、大きい規模のものである可能性があることを理解しなければならない。更に、経験的測定は、ＡＢＴＴ終端における温度の測定が、実深部温度からの変異量が０．２℃に等しいか又はそれ未満である最も正確なタイプの人体温度測定であることを示している。従って、ＢＦファクタは、非常に精密で正確な脳温を与える上では有利であるが、一般的にヒトに関しては重要な調節ではない。更に、ＡＢＴＴ終端の固有の構成は、ＢＦファクタ値が、殆どの実用目的に関してヒトの個体間で等しいようなものであることも理解しなければならない。従って、全ての人々に対して同じＢＦファクタ値を温度測定の補償に使用することができる。
【００２７】
これに加えて、一部の状況では脳温の非常に精密で正確な測定を有することを有利とすることができるが、ＡＢＴＴ終端において温度を測定する最も有利な利点は、時間に関連付けられた相対温度の変化である。従って、精密な温度を有することは、多くの場合に、時間に関連付けられた温度変化を解析することよりも重要ではない。従って、ヒトにおけるＢＦファクタ値は、正確性及び精度が必要である少数の状況に対してより重要である。
【００２８】
ＢＦファクタ値は、ヒトでは比較的重要ではない可能性があるが、動物は、皮膚上に位置決めされたＡＢＴＴ終端を持たず、更に熱伝導率を低減する毛皮を有する場合があり、動物におけるＡＢＴＴ終端の均等物の位置は、多くの場合に涙管及び涙丘又は結膜面（本明細書では移行区域と呼ぶ）に近い眼のコーナに位置する皮膚―粘膜移行区域にシフトしている。イヌ、ネコ、及び他の捕食動物のような一部の種では、ＡＢＴＴ終端の均等物は、眼のコーナの前側（又は内側）の部分に位置付けられ、ブタでは、眼の背後側（外側）のコーナに位置付けられる傾向を有し、ヒツジでは、眼の前側コーナに位置付けられる傾向を有し、チンパンジーのような霊長類では、眼の内側コーナと外側コーナの両方に位置付けられる傾向を有する。動物におけるこの場所は、理想的には着目する各種に対して決定されるＢＦファクタ値から利点を達成する温度差を確実に与える。イヌにおける脳柔組織温度から計算されたＢＦファクタは、移行区域から脳温を決定するための例示的な調節範囲を与える。限定ではなく例示として、イヌに対する例示的なＢＦファクタは、２．６℃に等しいか又はそれ未満であり、より好ましくは、１．６℃に等しいか又はそれ未満であり、更に好ましくは、１．０℃に等しいか又はそれ未満であり、非常に好ましくは、０．５℃に等しいか又はそれ未満である。
【００２９】
例示的実施形態において、装置の構成要素は、生体パラメータ、例えば、赤外線波長センサを用いて人の体温を評価するための感知部分を含む。この感知部分は、Ａｂｒｅｕ脳熱トンネルの終端又はターゲット区域、又は動物における移行区域にアクセスするのに最適な角度にあるように、手持ちとするか又は身体の一部分に締結することができる。この最適角度は、ＡＢＴＴ終端に対してほぼ垂直であるが、垂直から最大で３０度までの角度変化が有利で比較的正確な測定値をもたらす。別の好ましい例示的な角度は、センサがＡＢＴＴ終端を下から対角位置で表示する３０度から４５度までの角度を含むことができる。装置は、ヒンジ又は他の調節可能接続装置を用いてデバイスの本体部分に接続した調節可能ハンドル部分を更に含み、それによってユーザが、使用中に快適さに対して最適な保持位置に関して装置を操作することが可能になる。装置は作動のためのスイッチを含む。装置は、好ましくは、測定値が得られている人の視線内にディスプレイが直接に位置付けられるように、主要な本体部分の上側に装着された表示部分又はディスプレイ部分（例えば、スライド画面、電子デジタル表示器、又は画像及び／又は英数字を表示することができるあらゆる適切なディスプレイ）を更に含むことができる。一例示的実施形態において、表示器は、正面又は背面からディスプレイを表示することを可能にする両面ディスプレイを有し、それによって測定されている被検者がディスプレイを表示すること、及びオペレータ（例えば、医師、科学者、他の医療実務者等）もディスプレイを表示することを可能にする。本明細書で開示する本発明の別の態様は、装置の安全な保存、搬送、及び使用を可能にする箱を提供する。一例示的実施形態において、装置は、好ましくは、ＡＢＴＴに対面する写真又はビデオのカメラを含む。
【００３０】
ＡＢＴＴの独特の特性を理解する段階の一部として死体の解剖が行われた。死体の解剖は、ＡＢＴＴのターゲット区域又は終端１６における４つの静脈、すなわち、前頭静脈８０、上眼瞼静脈８２、眼窩上静脈８４、及び眼角静脈８６の合流部を示す図６０、図６１、及び図６２に見ることができる解剖学的構造を明確にした。この区域は独特のものであり、ＡＢＴＴ８８が脳の中枢に人体の縦の広がりに対して横向きに流れ込み、反対の端部が皮膚上で終端するような唯一の頭内区域である。
【００３１】
更に、ＡＢＴＴターゲット区域１６は、極度に血管新生化され、大脳血管系の直接分岐管が位置付けられ、脂肪層のない薄い皮膚によって覆われた唯一の皮膚区域である。内側眼瞼動脈及び内側眼窩静脈が分布する内眼角靭帝のすぐ上のＡＢＴＴターゲット区域１６に、眼静脈の終端分岐管の本幹が正確に位置付けられる。脂肪がなく、温度調節性動静脈シャントが欠如している特定の区域内で端部を構成する終端表在血管が分布する皮膚上のＡＢＴＴのターゲット区域又は終端１６は、脳温、代謝機能、肉体的信号明細書、及びグルコースレベルのような身体化学特性、並びに類似を含む不撹乱生体信号の表在ソースを与える。
【００３２】
要約すると、顔面９０の面下の静脈からの血液がＡＢＴＴ８８内に流れ込む。ＡＢＴＴ終端１６において合流すると、これらの静脈８０、８２、８４、及び８６からの血液は、ＡＢＴＴ終端１６から脳内へ、ＡＢＴＴ８８内へ、更に本出願人が熱貯蔵区域として識別し、脳の温度調節中枢に近い海綿静脈洞（図示せず）において脳の中枢に流れ込む。熱貯蔵区域から、熱エネルギが高温又は低温の血液の形態で脳の組織を通して分散される。本出願人は、ＡＢＴＴ８８が、脳からＡＢＴＴ終端１６へ、及びＡＢＴＴ終端１６から脳への双方向血流を含むことも気付いた。本出願人は、ＡＢＴＴ８８を通る血流が、ＡＢＴＴ終端１６の熱条件を測定することによって脳及び身体の状態を決定するという独特の診断を表すことに気付いた。ＡＢＴＴ終端１６の組織構造において見られ、現在特許出願中の未公開出願において本出願人が示すように、ＡＢＴＴ終端１６における皮膚は脂肪が欠如しており、それによってＡＢＴＴ８８からＡＢＴＴ終端１６における皮膚を通る熱エネルギ貫流が可能になり、このＡＢＴＴ終端１６において、脳及び身体の状態に関する情報を提供するために熱エネルギを測定して解析することができる。
【００３３】
他の顔面特徴部に対する静脈８０、８２、８４、及び８６の近似的な場所を図６０及び図６１に示している。眼角／顔面静脈８６は鼻９２と並んで上方に走り、上眼瞼静脈８２は眉９４に沿って走り、前頭静脈８０及び眼窩上静脈８４は額９６の下で延びている。いくつかの区域内では動脈血も並行して延びるが、この動脈血は、静脈血のように脳の中枢に向けて進むことはないことを理解しなければならない。
【００３４】
解剖学的かつ生理学的には、Ａｂｒｅｕ脳熱トンネル（ＡＢＴＴ）８８は、脳内にある熱信号ソースとトンネルの端部又は終端における皮膚上の体外点との間に連続的で直接的な不撹乱接続部を含む。以上により、トンネルの端部への皮膚の近接性と、トンネルの端部と皮膚の内面の間における脂質組織の欠如とを考慮すると、ＡＢＴＴ８８上の、それにわたる、又はそれに隣接する皮膚をＡＢＴＴ終端と見なすことができる。断熱性の脂肪の不在下では、皮膚は良好な伝導体であり、従って、ＡＢＴＴ８８の端部を覆う皮膚の温度は、ほぼＡＢＴＴ８８自体の温度である。従って、トンネルの一方の端部における身体的及び生理学的な事象は、反対の端部において再現される。ＡＢＴＴ８８は、吸熱要素、すなわち、脳内の血液によって貫流される熱エネルギを吸収することができる要素による干渉のないトンネルを通じた直接的な熱信号伝達を可能にする。皮膚上にある本明細書で「終端」又は「ターゲット区域」と呼ぶＡＢＴＴ８８の端部は、眼角靭帝の場所の眼の内側コーナから計った直径で約１４ｍｍの大きさがあり、約１２ｍｍにわたって上部に延び、次いで、更に２２ｍｍにわたって上瞼内に角状突起状に延びる。ＡＢＴＴ終端の下側部分は、涙点区域（又は涙管）に近く、この区域は、測定区域及び／又はＡＢＴＴ支持構造体の配置のための基準区域として機能する。
【００３５】
ＡＢＴＴ終端は、密集した解剖学的区域に位置付けられる。従って、ＡＢＴＴ終端からの信号を測定するためのセンサ又は検出器の配置は、トンネルの端部又は終端との最適なアラインメントに向けて適切な幾何学形状を必要とする。トンネルの臨床的な有用性は、解剖学的目印とセンサに対する支持構造体とに対するセンサの適正な位置決めによってのみ達成することができる。トンネルは、その端部の体外の幾何学形状及び場所を定めるのに役立つ特徴的な解剖学的目印を有する人体上の独特の位置に位置決めされる。トンネルの主進入点は、センサを位置決めするのに好ましい場所であり、センサは、好ましくは、支持構造体の皮膚に対面する面の中心区域に位置決めされる。ＡＢＴＴ終端における皮膚に対面及び／又は接触する支持構造体及び支持を受けるセンサは、１８ｍｍに等しいか又はそれ未満の例示的最大寸法、１４ｍｍに等しいか又はそれ未満のより好ましい例示的最大寸法、１０ｍｍに等しいか又はそれ未満のより一層好ましい例示的最大寸法、及び最適な信号取得に向けて８ｍｍに等しいか又はそれ未満の非常に好ましい例示的最大寸法を含む。生理学的トンネルにアクセスすることによる生体パラメータの測定のための好ましい例示的実施形態は、支持構造体の上部又は内部の偏心位置を含む特定の幾何学位置に位置決めされたセンサを含む。
【００３６】
本発明の例示的実施形態を説明するのに、明瞭化の目的で特定の術語を使用する。しかし、これらの例示的実施形態は、選択した特定の用語に限定されるように考えられているものではなく、各特定の用語は、類似の目的に対して類似の方式で作動する全ての技術的均等物を含むことを理解しなければならない。各個々の部分又は構成要素及び／又は各個々の実施形態、又はこれらの部分又は構成要素及びいずれかの実施形態の組合せが本発明の範囲にあることも理解しなければならない。
【００３７】
本明細書で開示する支持構造体は、ＡＢＴＴ「ターゲット区域」を表示するように位置決めされた時、ＡＢＴＴ「ターゲット区域」上に位置決めされた時、又はＡＢＴＴ「ターゲット区域」の近くに位置決めされた時に、ＡＢＴＴ終端からの信号を感受し、測定するように構成されたセンサ又は検出器を含む手持ち式デバイスを含む。手持ち式デバイスに加えて、卓上のもの、膝乗せのもの、壁掛けのもの、身体又は頭に留めるものなどを含むいずれかの他の構成が本発明の開示の範囲にあることを理解しなければならない。ＡＢＴＴ「ターゲット区域」の皮膚の接触測定又は非接触測定によって脳温又はあらゆる他の生体パラメータを継続的又は非継続的に測定するためのデバイスを含むように個別に又はあらゆる組合せで使用される本発明の開示の実施形態の態様を本明細書に説明する。例えば、図１に示す例示的実施形態を有する感知デバイス又は装置は、以下に続く特徴を含む。
【００３８】
ＡＢＴＴ終端１６から接触又は非接触で信号を捕捉するために予め決められた角度１４で固定された感知部分１２は、その第１の端部１８である一方の端部が、本体部分２０に接続され、第２の自由端２２が、ＡＢＴＴの終端又はターゲット区域１６からエネルギを受け入れるセンサを含む。例示的実施形態において、センサは赤外線センサである。しかし、ＡＢＴＴ８８及びＡＢＴＴ終端１６は、複数のエネルギ及び／又は波長を放出することを理解しなければならない。従って、他の例示的実施形態において、一部の状況では検出器として説明する場合もあるセンサは、ＡＢＴＴ８８及びＡＢＴＴ終端１６を通して送信される信号を受け入れるように構成された例えば音センサ又は振動センサ、磁力計、電磁石センサ等とすることができる。従って、本明細書において赤外線センサ又は赤外線検出器のような特定のタイプのセンサを説明する場合に、測定又は感受されるエネルギ又は周波数に必要とされるいずれかの修正を用いて、他のタイプのセンサを使用することができることを理解しなければならない。第１の端部１８は、角度を調節することを可能にする回転機構を含むことができることを理解しなければならない。ヒトの患者又は被検者が直立した状態で地面に対して垂直な線に対する手持ちレベルにおける例示的予め決められた角度１４は２０度に等しいか又はそれ未満であり、より好ましくは、４５度に等しいか又はそれ未満であり、更に好ましくは、６０度に等しいか又はそれ未満であり、又は非常に好ましくは、７５度に等しいか又はそれ未満である。
【００３９】
ハンドル部分２４は、それを本体部分２０に取り付ける又は接続する調節可能接続機構２６によって角度調節可能にすることができ、又は感知デバイス１０を保持するのに最適化された位置で本体部分２０に固定することができる。
【００４０】
少なくとも１つのスイッチ２８は、感知デバイス１０の機能を起動するためのものである。
【００４１】
表示部分３０（例えば、スライド画面部分、電子デジタルディスプレイ、標準ディスプレイ、投影ディスプレイ、透明ディスプレイなど）は、本体部分２０の上側部分３２上に装着され、被検者又は患者の注意が感知部分１２からある程度逸らされるように、測定値が得られている人々に情報を表示するための出力を提供する。
【００４２】
本体部分２０は、センサによって収集されたデータを処理、記録、起動、表示、及び送信するためのコントローラ又はプロセッサ又は装置を含むプリント電気回路基板又はいずれかの回路を含むことができる。本体部分２０上にはスイッチ２８を位置決めすることができる。少なくとも１つのスイッチが、装置を起動及び停止するためのスイッチ２８又は他の起動機構を含む。スイッチ２８は、測定を起動することができ、又は測定を起動するための他の起動機構（図示せず）を設けることができる。セル電話、腕時計、眼鏡、コンピュータなどのような外部デバイスが装置を起動することができる。
【００４３】
本発明の開示の例示的実施形態を示すために使用する生体パラメータは温度であるが、皮膚面、眼窩周囲部分及び頭蓋内部分、並びに視床下部、視床、及び大脳皮質としての他の脳組織を含む脳トンネルの反対の端部からを含む他の生体パラメータ及び検体を本発明の開示で説明する脳トンネルのいずれの部分においても測定及び／又は解析することができることを理解しなければならない。いずれかの化合物の放射線痕跡をＡＢＴＴ終端１６の熱放出において定量することができ、又はＡＢＴＴ終端１６への赤外線エネルギの印加が、検体の濃度を決定し、更に、いずれかの抗原、抗体、又は身体又は血液に存在する化合物（例えば、薬品）のような他の物質の存在を決定するのに適する反射赤外線信号を生成することができる。
【００４４】
本発明の開示の実施形態は、本発明の開示の態様に従って装置又はデバイス１０の本体部分２０に接続した少なくとも感知部分１２を含む。感知部分１２は、デバイス１０の自由端として機能する。脳温又は他の生体パラメータをＡＢＴＴターゲット区域１６を用いて最も実質的に測定するためには、感知部分１２をＡＢＴＴターゲット区域１６を測定するのに最適な角度を形成するように配置しなければならない。脳温評価では、トンネル区域１６は、その大部分が、上瞼区域の内側部分を含む眼と眉の間の区域を含む。感知部分１２の自由端２２は、非常に好ましくは、眼の内側コーナまで２．５ｍｍであり、眼の内側コーナの上方約３ｍｍの場所の皮膚上に位置付けられるトンネルの主進入点１６に位置付けられる。しかし、この場所は近似的なものであり、ＡＢＴＴ終端１６の位置は、数ミリメートル、例えば、プラス又はマイナス５ｍｍ、極めて多くの場合にはプラス又はマイナス３ｍｍだけ変化する可能性があることを理解しなければならない。主進入点１６、すなわち、ＡＢＴＴの終端又はターゲット区域１６の直径は約６ｍｍから７ｍｍであり、熱及び赤外線の最大放出又はピーク放出は、約５ｍｍ又はそれよりも小さい直径の範囲、より可能性が高いのは約５ｍｍ又はそれよりも小さい直径の範囲、極めて可能性が高いのは約２ｍｍ又はそれよりも小さい直径の範囲にある。ＡＢＴＴ終端１６は完全な直径ではなく、幾分長円形、長楕円形、又は不規則形とすることができることも理解しなければならない。Ａｂｒｅｕトンネルの主進入点１６における感知部分１２の配置は、トンネルの出力によって表される身体の身体的及び化学的なパラメータを測定するための最適な区域を与える。部分２６は、本明細書で説明する好ましい角度のうちのいずれかで固定することができることを理解しなければならない。
【００４５】
感知部分１２を測定に最適な場所に位置決めするために、感知部分１２は、本明細書において例示的実施形態のうちの１つとして説明するように地面に対して特定の角度で置かれ、これを本明細書で説明するように、被検者が直立位置にあり、身体が地面に対してほぼ垂直な場合で例示する。この例示では、地面に対して垂直かつ顔面と平行に延びる線３４から測定された例示的角度１４は、６０度に等しいか又はそれ未満であり、例えば、図１及び図２に示すように、より好ましくは、４５度に等しいか又はそれ未満である。４５度よりも小さい角度を使用することができ、ＡＢＴＴ「ターゲット区域」１６は下に向く又は下向きに角度が付く傾向を有するので、そのような４５度よりも小さい角度は、ＡＢＴＴ「ターゲット区域」１６の解剖学的特徴部に対して有利なインタフェース角度を与えることになることを理解しなければならない。図１６に示すもののようなセンサは、垂直軸又は線３４に対して垂直である軸２２２に対する角度３６でも向けられることも理解しなければならない。例示的角度３６は、１０度に等しいか又はそれ未満であり、好ましい例示的角度３６は２５度に等しいか又はそれ未満であり、より好ましい例示的角度３６は、５５度に等しいか又はそれ未満である。例示的実施形態は、底面からＡＢＴＴ終端１６を表示するセンサ部分１２を含み、すなわち、センサ部分１２は上を向き、又は上方に角度を付けられ、更に顔面３８の側面から顔面３８の中心に向けて、すなわち、鼻４０に向けて角度を付けられ、それによって検出器又は感知部分１２の位置は、右のＡＢＴＴ１６に対しては、底面と顔面３８の右側面とでの測定されている患者又は被検者の斜視方向から表示するためのものであり、左のＡＢＴＴ（図示せず）に対しては、底面と顔面の左側面からの測定されている患者又は被検者の斜視方向から表示するためのものであるような好ましい表示角度が得られる。
【００４６】
例示的実施形態において、感知部分１２は、非接触赤外線（ＩＲ）センサ４２を含む。ＩＲセンサ４２及び関連の装置、並びにＩＲセンサ４２の異なる位置の例示的実施形態を図４０〜図４４に示し、更に、内部端部の位置を図４７に、中間位置を図４６に、外部端部の位置を図４４に示している。ＡＢＴＴターゲット領域１６の温度又は他の生体パラメータを測定する他のセンサであって、サーミスタのような皮膚との接触を必要とするもの及び皮膚接触を必要としないものを含むセンサを使用することができることを理解しなければならない。ＩＲ測定は、全放射線量が絶対温度の４乗に比例するステファン−ボルツマンの物理法則と、ピーク波長と温度との積が一定であるヴィーンの変位則とに基づいている。本発明の開示の非接触赤外線装置１０の視野は、皮膚上のＡＢＴＴ終端区域１６のサイズ及び幾何学形状に整合するようになっており、赤外線センサ４２によって表示されるスポットサイズの例示的直径（寸法）は１２ｍｍに等しいか又はそれ未満であり、好ましくは、７ｍｍに等しいか又はそれ未満であり、別の例示的直径は５ｍｍに等しいか又はそれ未満であり、別の例示的直径は３ｍｍに等しいか又はそれ未満であり、更に別の例示的直径は２ｍｍに等しいか又はそれ未満である。例示的実施形態において、装置１０のセンサ４２の視野は、好ましくは、直径で３ｍｍよりも大きいことのない点を測定するために約９度である。３ｍｍよりも大きいあらゆる直径は、潜在的にＡＢＴＴターゲット区域１６を取り囲む皮膚を含み、ＡＢＴＴターゲット区域１６を取り囲む皮膚は、ＡＢＴＴ終端区域１６とは異なる面温度を有するので、これを含むことは温度測定値をより不正確にすることになり、高い精度に関して付加的な補償又は補正を必要とすることになる可能性がある。
【００４７】
装置１０のセンサ部分１２は、導波管４４を含むことができる。本明細書では導波管４４をＩＲ放射線がＩＲセンサ４２に到達する前に赤外線放射線を受け入れる構造体によって表している。本発明の開示の特殊導波管４４は、測定ターゲット区域のサイズ及び測定ターゲット区域からの距離を含む適正値でＩＲ放射線がＩＲセンサ４２に到達するように案内する。特殊導波管４４は、あらゆる形状又は構成を取ることができるが、例示的実施形態では赤外線放射線の集光を最適化すること、及び製造容易性に向けて構成された円筒又はバレル状の構造体である。図４５〜図４８は、本発明の例示的導波管４４のいくつかの図を示している。以下では特殊導波管４４の例示的実施形態を説明する。
【００４８】
従来のＩＲセンサに対する視野は約９０度である。この大きい視野は、額上又は外耳道内の体温を測定するのには無難である。そのような大きい視野は、比較的小さいＡＢＴＴターゲット区域１６の正確な読取値を取得するのには大き過ぎる。１５度又はそれよりも小さい好ましい最大角、より好ましくは、１２度又はそれよりも小さい最大角、非常に好ましくは、９度又はそれよりも小さい最大角の視野を有するＩＲセンサを達成するために、本発明の開示の実施形態の一態様による感知部分１２は、円筒形の「バレル」構造体４６の固定端部に位置付けられたＩＲセンサ４２を含むことができ、このバレル構造体４６は十分に断熱され、例示的実施形態において、７０ｍｍ又はそれよりも短く、好ましくは、３０ｍｍ又はそれよりも短く、より好ましくは、１５ｍｍ又はそれよりも短く、非常に好ましくは、１０ｍｍ又はそれよりも短い長手方向長さを含む。特にバレルの例示的長さ４８は９０ｍｍに等しいか又はそれよりも短く、好ましい例示的長さ４８は６０ｍｍに等しいか又はそれよりも短く、より好ましい例示的長さ４８は３０ｍｍに等しいか又はそれよりも短く、更に好ましい例示的長さ４８は２０ｍｍに等しいか又はそれよりも短く、非常に好ましい例示的長さ４８は１０ｍｍに等しいか又はそれよりも短い。例示的なバレル又は円筒の外径５０は、２５ｍｍに等しいか又はそれ未満であり、好ましくは、１５ｍｍに等しいか又はそれ未満であり、より好ましくは、１０ｍｍに等しいか又はそれ未満であり、非常に好ましくは、５ｍｍに等しいか又はそれ未満である。本体部分２０、又は感知デバイス又は装置１０のうちで電子機器及び１又は２以上のバッテリを含むいずれかの部分は、これらの要素を含むのに必要ではないずれかの寸法を有することができることも理解しなければならない。図４３に示す例示的実施形態の導波管５２は、円錐構造体５４で端部を為すことができることも理解しなければならない。導波管５２は、好ましくは、円錐構造体５４として終端する円筒構造体５６を含む。円錐形の端部又は構造体５４の寸法は、ＡＢＴＴ終端１６の密集した解剖学的構造と合致しなければならない。赤外線センサ４２は、プローブ１２としても説明することができる感知部分１２の第１の端部１８に位置決めされる。円錐構造体５４の円錐の好ましい寸法、すなわち、デバイス端部５８として説明する場合もある円錐の第１の円錐端部５８から、皮膚上で静止するか又は皮膚に近い非接触の場所で静止する第２の円錐端部６０までの距離は、ＡＢＴＴ終端１６を取り囲む解剖学的構造と合致する特殊な寸法を必要とする。円錐の例示的円錐長さ６２は、２０ｍｍに等しいか又はそれよりも短く、好ましくは、１５ｍｍに等しいか又はそれよりも短く、より好ましくは、１０ｍｍに等しいか又はそれよりも短く、更に好ましくは、６ｍｍに等しいか又はそれよりも短く、更に非常に好ましくは、３ｍｍに等しいか又はそれよりも短い。円錐構造体５４の第２の円錐端部６０における例示的外径６４は、２５ｍｍに等しいか又はそれ未満であり、好ましくは、１５ｍｍに等しいか又はそれ未満であり、より好ましくは、１１ｍｍに等しいか又はそれ未満であり、更に好ましくは、８ｍｍに等しいか又はそれ未満であり、非常に好ましくは、５ｍｍに等しいか又はそれ未満である。図４４に示す別の例示的実施形態において、円錐構造体６６は円筒構造体６８内に包まれる。更に別の実施形態において、眼と眉の間の解剖学的領域とより確実に共形になるように、円錐端部は、腎臓（又は豆）形の構造（図示せず）で置換される。
【００４９】
図４１に示す代替実施形態において、ＩＲ感知部分１１２は、１０ｍｍの例示的長手方向長さ１１６を含むバレル構造体１１４を含むことができ、ＩＲセンサ４２は、バレル１１４の固定端部又は取り付け端部である、図１に示す例示的実施形態の第１の端部１８と類似の第１の端部１１８の近くに位置付けられる。バレル１１４は、その中で、その長手方向長さ１１６に沿って均等に離間し、長手方向に位置決めすることができる１又は２以上の隔壁１２０を含む。隔壁１２０は、赤外線放射線を吸収しない材料で形成することができる。隔壁１２０の１つの利点は、ＡＢＴＴ終端１６に集まるデータを制限するのに役立つ視野を与えることである。
【００５０】
図４２に示す別の例示的実施形態において、ＩＲ感知部分２１２は、好ましくは、１０ｍｍの長手方向長さ２１６を含むバレル構造体２１４を含み、適切なレンズアセンブリ２１８が、ＩＲ光をＩＲセンサ４２上にフォーカスするように位置決めされる。本発明の開示の実施形態のこの態様により、ＡＢＴＴ終端１６によって放出されるＩＲエネルギは９度の視野を生成し、測定ターゲット区域は約３ｍｍの直径を有する。バレル１１４及び２１４の好ましい例示的長手方向長さ１１４及び２１６は７０ｍｍに等しいか又はそれよりも短く、より好ましい長手方向長さ１１６及び２１６は５０ｍｍに等しいか又はそれよりも短く、より一層好ましい長手方向長さ１１６及び２１６は３０ｍｍに等しいか又はそれよりも短く、更により好ましい長手方向長さ１１６及び２１６は２０ｍｍに等しいか又はそれよりも短く、非常に好ましい長手方向長さ１１６及び２１６は１０ｍｍに等しいか又はそれよりも短い。
【００５１】
本明細書で開示する感知部分は、ＩＲセンサ４２をバッテリ又は電源のような適切な電力の供給源と結合するように構成された１又は２以上のワイヤ、ケーブル、及び他の電気コネクタ又は電気回路を更に含み、又はセル電話、コンピュータ、腕時計などを含む無線受信デバイスを通してインターネット又はコンピュータネットワーク（図示せず）に接続するように構成された無線送信機及び／又は接続デバイス及び接続装置のような送信を行うように構成されたデバイス及び装置を含む感知デバイス１０の例えば本体部分２０内に設置することができるコントローラ、プロセッサ、非一時的メモリ、ＰＣ板、無線送信機、又は他の適切な回路又は装置にＩＲセンサ４２によって生成又は送信された信号を通信することを可能にするための１又は２以上のワイヤ、ケーブル、及び他の電気コネクタ又は回路を更に含むことができる。
【００５２】
本発明の開示において提供するこの赤外線ベースのシステムは、好ましくは、ヒト又は動物の身体から完全に接断された携帯又は手持ち式ユニットの一部として統合される（しかし、これに限定されない）。しかし、本発明の開示の赤外線ベースのシステムは、例えば、ステッカー、包帯、粘着テープ、目頭パッド、眼鏡、ゴーグル、マスク、ヘルメット、ヘッドバンド、頭装着装具、首装着装具、又はＡＢＴＴ赤外線測定デバイスを支持するように設計することができるような他の構造体のような身体と接触する支持構造体内に統合することができることを理解しなければならない。本発明の開示の感知装置１０は、測定を実施するために装置１０をＡＢＴＴ区域１６に向けて視準するオペレータが保持することができる。装置１０は、身体に接続されないか又はオペレータによって保持されず、回転体又は装着台（図示せず）のような支持体内に統合することができる。
【００５３】
手持ち式感知デバイス又は装置１０は、正確な測定値を取得するために予め決められた距離の場所に配置しなければならない。測定値が一貫した距離の場所で得られることを確実にするために、光学測距を使用することを提案する。光学測距のデバイス又は装置は、最適アラインメント距離が得られた時をオペレータに通知するために、表示部分３０又は他のディスプレイに接続したアラインメント機構又はビームを含むことができる。光学測距は、第２の自由端２２に接続することができることも理解しなければならない。別の例示的実施形態において、光学測距は、最適距離が得られた時にデバイスに測定値を自動的に取得させることになる回路基板又はプロセッサ（図示せず）に接続したアラインメント装置を含むことができ、それによって照射デバイスを用いた測定中のオペレータ過誤の可能性が低減又は排除される。反射率による光学測定、超音波測定、レーザ測定などのような他の測距を使用することができる。
【００５４】
本発明の開示で説明する感知装置の実施形態は、被検者又は患者に対して不快さを与えずに温度及び生体パラメータを測定するために、ＡＢＴＴ終端区域１６に快適に位置決めされるように成形された延長部又は先端を更に含むことができる。ＡＢＴＴ終端１６における皮膚と接触する延長部は、ＡＢＴＴ終端区域１６の解剖学的目印、幾何学形状、及びサイズに則して成形される。ＩＲ放射線センサ４２は延長部に位置決めされ、例示的実施形態において、センサ４２は皮膚から分離される。しかし、センサ４２は、直接にＡＢＴＴ終端１６の皮膚上で静止することができる。センサ４２は、第２の自由端２２の空間領域内に位置決めすることができるが、測定中にはＡＢＴＴ終端１６の皮膚から離間することができる。ＡＢＴＴ区域１６から放出される放射線を受け入れるための別の例示的実施形態の特殊導波管を図５２に開示し、全体的に１６２で示している。導波管１６２は、ＡＢＴＴ終端１６の皮膚上又はその近くに位置決めされることが意図された端部であるプローブ１６８の第１の端部１６０に位置決めされたＩＲセンサ４２を含む。プローブ１６２の端部からプローブ内のＩＲセンサ４２の場所までのＩＲセンサ４２の例示的距離１６４は３０ｍｍに等しいか又はそれよりも短く、好ましくは、１５ｍｍに等しいか又はそれよりも短く、より好ましくは、１０ｍｍに等しいか又はそれよりも短く、非常に好ましくは、５ｍｍに等しいか又はそれよりも短い。プローブの開放端の例示的外径１６６は１２ｍｍよりも小さく、好ましくは、８ｍｍに等しいか又はそれ未満であり、より好ましくは、６ｍｍに等しいか又はそれ未満であり、非常に好ましくは、４ｍｍに等しいか又はそれ未満である。ＩＲセンサ４２の有効領域の例示的直径１６８は８ｍｍに等しいか又はそれ未満であり、好ましくは、５ｍｍに等しいか又はそれ未満であり、より好ましくは、３ｍｍに等しいか又はそれ未満であり、非常に好ましくは、２ｍｍに等しいか又はそれ未満である。プローブ１６２は、ＩＲセンサ４２と、それと信号処理回路（図示せず）の間の関連電気接続部とを含む。プローブ１６２の第１の端部１６０は好ましくは、開放端であり、ＩＲセンサ４２へのＩＲ伝達を可能にする。しかし、第１の端部１６０は、ＩＲエネルギを容易に伝達する窓又はレンズを組み込むことができる。プローブ１６２は、患者の間の相互汚染を回避するために取り替えることができる使い捨てプローブカバー１７２を組み込むことができることを理解しなければならない。
【００５５】
延長部を含む全体の感知部分は、眼又は関連の体液との接触を通して感染する可能性がある細菌又は疾患の蔓延を予防するのに役立つように使い捨てとすることができる。代替実施形態において、ＩＲ感知部分自体、延長部、又はこれらの両方は、使い捨ての無菌材料のシース又はスリーブによって覆うことができる。本明細書で開示する様々な導波管をＡＢＴＴ終端１６の幾何学形状と本発明の開示の原理とに則して使用することができる。
【００５６】
本発明の開示では、ＡＢＴＴ終端区域１６を通して体温を測定するために、感知部分内で赤外線センサ４２が使用される。代替実施形態において、温度、又はグルコース、コレステロール、エタノール、ナトリウム、カリウム、尿素、クレアチニン、肝臓酵素、心臓酵素などを含む検体の測定値のような生体パラメータを決定するために、デバイス内で反射率分光測定、超音波、ラマン分光測定などを使用することができる。
【００５７】
図６３及び図６４は、全体的に３４０で示す本発明の開示の例示的実施形態による別の感知デバイスを示している。感知デバイス３４０は、図６３に示すように感知デバイス３４０の前面又は端部から見た時に第１の角度３４４にあり、図６４に示すように感知デバイス３４０の上面から見た時に第２の角度３４６にある感知部分３４２を含む。第１の角度３４４の例示的実施形態は、予め決められた角度１４に関するものと同じとすることができる。第２の角度３４６の例示的実施形態は、図１６に示す角度３６と同じとすることができる。図６３及び図６４の構成に関する１つの利点は、感知部分３４２がＡＢＴＴ終端１６と最適に嵌合するように角度を付けられ、それによって一部の被検者又は患者に関してＡＢＴＴ終端１６の測定を行う時にＡＢＴＴ終端１６に対して感知デバイス３４０の向けるのを容易にすることができる点である。
【００５８】
感知デバイス３４０は、本明細書で説明する他の感知デバイス実施形態内に組み込むことができる他の特徴を含む。感知デバイス３４０は、それが右又は左のいかなるＡＢＴＴ終端１６であっても測定することを可能にするために、図６３に示す向きから角度３４６の２倍だけ回転するように構成される。例示的実施形態において、左から右への感知部分３４２の回転は、回転インタフェース３４８によって達成することができる。回転インタフェース３４８は、戻り止め３５０と、起動デバイス又は起動ボタン３５４によって作動又は起動することができる係合装置、係合デバイス、又は係合機構３５２との係合によって固定の向きに位置決めすることができる。各戻り止め３５０は、軸３４に沿う垂直方向から左にあるか又は反時計周りに回転した第２の角度３４６を確立するか又は軸３４に沿う垂直方向から右にあるか又は反時計周り回転した第２の角度３４６を確立するように位置付けられる。
【００５９】
感知デバイス３４０は、測定に向けて感知部分３４０を位置決めするのを助けるために、ＡＢＴＴ終端１６の周りの独特の区域と嵌合するように構成された延長部３５６を更に含む。延長部３５６は取外し可能であるように構成され、それによって右のＡＢＴＴ終端１６と左のＡＢＴＴ終端１６とに嵌合するように右バージョンと左バージョンとで構成することができる。例示的実施形態において、延長部３５６は、滅菌することができるか又は使い捨てとすることができる濃い色の半硬質プラスチックで形成される。延長部３５６又は同様に構成された延長部３５６を本明細書で開示する感知デバイスのうちのあらゆるものに取り付けることができることを理解しなければならない。
【００６０】
図６３Ａに示すように、感知部分３４２の第２の自由端２２は、好ましくは、それをＡＢＴＴ終端１６の中心の周りに移動することによってＡＢＴＴ終端１６の区域を走査するのを助けるために、ＡＢＴＴ終端１６の実質的に凹の独特区域と嵌合するように構成された実質的に凸又は丸形の面３５７を含むことを理解しなければならない。凸端部３５７は、好ましくは、ＡＢＴＴ終端１６から放出される放射線３６１を受け入れるように構成された開口部３５９を含む。本発明の開示は、ＡＢＴＴ終端１６の中心又は高温スポットを決定する方法であって、鼻のわきに沿う領域、及び眼と眉の間の上瞼の内側半域の区域を含む「走査区域」に沿ってＡＢＴＴ終端１６の皮膚に並置された第２の自由端２２を移動する第１の段階と、最高温度を決定する第２の段階と、検出された最高温度を報告する第３の段階とを含む方法を含むことを理解しなければならない。方法は、「走査区域」を走査するための非接触法を含むことができることを理解しなければならない。
【００６１】
本方法を提供するために、第２の自由端２２は、１５ｍｍに等しいか又はそれ未満である最大直径を有するように構成される。別の実施形態において、第２の自由端２２は、１２ｍｍに等しいか又はそれ未満である最大直径を有するように構成される。更に別の実施形態において、第２の自由端２２は、７ｍｍに等しいか又はそれ未満である最大直径を有するように構成される。更に別の実施形態において、第２の自由端２２は、５ｍｍに等しいか又はそれ未満である最大直径を有するように構成される。
【００６２】
図６３Ｂから図６３Ｆは、例示的な走査方法及び好ましい走査ターゲット区域を示している。図６３Ｂは、センサとの接触又は非接触状態でセンサによって走査又は網羅される、ＡＢＴＴ終端１６に対する最頻のための場所及び区域３６３及び区域３７５の２つの好ましい境界を示している。破線で区切られた大きい方の区域３６３は、鼻３６５と、眉３６７を含むが額は含まない眉３６７と、上瞼の外側端部３６９と、涙丘及び涙管３７３を含む眼球の上部３７１とである境界を含む。実線で区切られた小さい方の走査区域３７５は、鼻３６５と、眉３６７を含むが額は含まない眉３７６と、上瞼の真ん中半分の場所３７７と、瞼３７９の自由縁部とである境界を含む。
【００６３】
ＡＢＴＴ終端１６の最も可能性が高い位置を考慮すると、小さい方の区域を走査することにより、ＡＢＴＴ終端１６の主要点又は高温スポットを検出するための時間が低減する。図６３Ｃは、ＡＢＴＴ終端１６の中心で開始して矢印３８１及び３８１ａに沿って周囲に移動する走査のための好ましい螺旋運動を含む第１の例示的方法を示している。図６３Ｄは、周囲で始まって矢印３８３及び３８３ａに示すようにＡＢＴＴ終端１６に移動する螺旋運動を含む第２の例示的な方法又は段階を表すことができる。図６３Ｅは、矢印３８５に沿って鼻に向う左から右への水平運動、それに続く矢印３８５ａに沿う右から左への水平運動を含む左のＡＢＴＴ終端１６に対する走査区域３６３のための第３の例示的方法を示している。図６３Ｆは、鼻に近い下縁部で始まって３８７に沿って上方に移動し、それに矢印３８７ａに沿う下方運動が続く、走査区域３６３に対する上下運動を含む第４の例示的方法、又は図６３Ｅの段階に対する第２の段階を表すことができる。ＡＢＴＴ終端１６の最頻のための場所に集中する方法は、ＡＢＴＴ終端の中心から計って２５ｍｍに等しいか又はそれ未満である直径、好ましくは、１５ｍｍに等しいか又はそれ未満である直径、非常に好ましくは、１０ｍｍに等しいか又はそれ未満である直径の好ましい区域を含む短い右及び左の運動と短い右及び左の運動とを用いてＡＢＴＴ終端１６に集中する段階を含むことができることを理解しなければならない。
【００６４】
図６３Ｇは、実線で区切られた別の例示的走査区域３９３であって、実質的に三角形の形状を有し、鼻３６５と、眉３６７を含むが額は含まない眉３６７と、眉の外側端部３８９及び眼の外側コーナで始まって鼻３６５で終端する線とである境界を有する走査区域３９３を示している。
【００６５】
図６３Ｈは、この図ではイヌ科の種によって表す動物に関するヒトにおけるＡＢＴＴ終端の均等物を識別するための例示的走査区域を示している。実線で区切られた走査区域３９５は、実質的に三角形の形状を有し、鼻３９９の上側部分と、上瞼の縁部４０３と、下瞼の縁部４０１とである境界を有し、上述の移行区域３９７（眼の前側コーナ及び涙液管区域を包含する）を含む。
【００６６】
図６３Ｉは、鼻３９９の上側部分と、上瞼４０９の縁部の高さにおける眼球の中央部分４０７と、下瞼の縁部４１１とである境界を有し、移行区域及び内側眼コーナを含むが、外側眼コーナ４１３は含まなく、本発明の開示による小さめの寸法４０５を有するように構成された別の例示的走査区域を示している。走査区域４１５は、チンパンジーを含む霊長類に関するＩＴＰを走査するのに好ましく、図６３Ｊに示すように、好ましくは、内側コーナにおける移行区域４１７と外側眼コーナ４１９との両方を含む。走査区域３９５、４０５、及び４１５に対して図６３Ｃ〜図６３Ｆに示す運動と類似の運動を使用することができる。
【００６７】
感知デバイス３４０は、本明細書で説明するもののようなセンサからのデータを受信するように構成された送信機３５８を更に含む。次いで、送信機３５８は、受信データを表示するセル電話、コンピュータ、タブレットのような受信デバイス３６０にデータを送信する。感知デバイス３４０は、完全なビデオ情報を受信デバイス３６０に送信するように構成することができ、又は受信デバイス３６０は、感知デバイス３４０から受信した情報を表示するようにフォーマット設定されたアプリケーション又はプログラムを含むことができる。
【００６８】
図６５は、全体的に３６２で示す本発明の開示の例示的実施形態による別の感知デバイス又は装置の側面図である。感知デバイス３６２は、図６３及び図６４の構成と同じく予め決められた角度で位置決め可能な回転インタフェース３６６の周りに回転可能な感知部分３６４を含む。回転インタフェース３６６は、起動デバイス、起動装置、又は起動機構３７２によって起動することができる係合装置３７０を受け入れるように構成された戻り止め３６８を含むことができる。感知装置３６２は、被検者又は患者３８０が容易に表示可能な場所にあるように構成された第１のディスプレイ３７６と、看護師、医師、技術者、介護者、又は被検者３８０に対して測定を実施する他の人が容易に表示可能な場所にあるように構成された第２のディスプレイ３７８とを含む表示装置又はディスプレイ装置３７４を更に含む。例示的実施形態において、表示装置３７４は、第１のディスプレイ３７６のような１つのディスプレイであって、患者３８０又はオペレータ３８２のいずれもこのディスプレイ３７６を表示することを可能にするように回転させることができる１つのディスプレイだけを含むように構成することができることを理解しなければならない。
【００６９】
装置３７４の二重ディスプレイ構成は、複数の理由から有利である。例えば、子供に対して感知デバイス３６２が使用される場合に、第１のディスプレイ３７６がアニメーション、お笑いネタ、アクションものなどのような短編映像を提供することができ、一方、この例では保護者とすることができるオペレータが、子供の状態に関する情報を受け入ることができる。子供に対して表示される画像は、子供の緊張を緩めるのに役立ち、短編映像を見る代償としてデバイスを受け入れるように子供を励ますことさえすることができる。当然ながら、第１のディスプレイ３７６と第２のディスプレイ３７８とは同じ情報を提供することができ、又はオペレータ３８２が感知デバイス３６２のデータ出力を表示する間に被検者又は患者３８０によって選択される表示物を提供することができる。
【００７０】
例示的実施形態において、ＩＲセンサは、図６６に示して全体的に３８４で示すＩＲセンサのようなカメラとして構成された赤外線感知ピクセルのアレイとすることができる。更に、図６６Ｂは、例えば、ＡＢＴＴ終端１６のピーク温度３８６及びＡＢＴＴ終端１６の平均温度３８８を決定するためにコントローラが解析することができるＩＲセンサ３８４の様式的出力を示している。例示的実施形態において、ピーク温度３８６は、ＩＲセンサ３８４の限られた個数又は１つのピクセル要素３９０に示す最高温度である。同じく例示的実施形態において、ＡＢＴＴ終端１６の平均温度３８８をピーク温度３８６のある百分率、又はピーク温度の０．１度のような度で計った帯域のようなピーク温度の特定の温度帯域の範囲にある温度領域として決定することができる。ＩＲセンサ３８４は、ＡＢＴＴ終端１６の周りの温度のマップ３９２を与えるように構成することができ、次いで、このマップ３９２を異常に対して解析することができる。
【００７１】
先に解説したように、感知デバイス又は装置は、感知部分を患者又は被検者から分離するために感知部分の端部に取り付けられるように構成された延長部であって、その滅菌又は使い捨てを可能にする延長部を含むことができる。本発明の開示による例示的延長部を図６７及び図６８に示して全体的に３９４で示している。延長部３９４は、図６７及び図６８に示す感知部分３９６のような感知部分の上に堅固に取り付け又は位置決めされるように構成される。延長部３９４は開放区域４９９を含み、延長部３９４を感知部分３９６のコーナ４００の上に摺動させるのを助けるための内部チャンバ３９８を含むことができる。例示的実施形態において、延長部３９４は環状構成４３３を含むように構成され、濃い灰色、濃い青色、濃い赤色、黒色のような濃い色の半硬質又は硬質のプラスチックで形成される。例示的実施形態において、延長部３９４は環状又は輪として構成される。延長部３９４の利点は、滅菌又は使い捨てに向けて容易に取外し可能である点である。
【００７２】
ＡＢＴＴ終端１６を測定するための感知デバイス及び感知装置を一般的にハンドル、ボタンなどを含むものとして示したが、感知デバイスは、例えば、セル電話、タブレット、又は他の小型電子デバイスと嵌合するように構成された図６９に示して全体的に４０２で示す感知デバイスのような小型デバイスとすることができる。感知デバイス４０２は、例示的実施形態ではＩＲ撮像アレイ３８４を含むことができる。例示的実施形態において、感知デバイス４０２は、セル電話又は他の対応デバイスと嵌合するためのプラグ４０４を含む。例示的実施形態において、感知デバイス４０２は、ＡＢＴＴ終端１６を位置付けるのに役立つように撮像アレイ３８４上に生成される画像を改善するために、ＩＲ受光器又はＩＲ撮像アレイ３８４に対して照明を付加するためのＩＲ発光ダイオード４０６を含むように構成される。
【００７３】
図７０は、全体的に４０８で示す本発明の開示の例示的実施形態による別の感知デバイスを示している。感知デバイス４０８は感知デバイス４０２と同様であるが、プラグ４０４の代わりに又はそれに加えて、無線送信機又は送受信機４１０を使用する。
【００７４】
図７１〜図７５は、一例として感知デバイス４０２及び４１０を含む本発明の開示の感知デバイス及び感知装置の出力の例示的構成を示している。図７１の例示的実施形態において、電子デバイス４１２は、ディスプレイ４１４を含む。この実施形態における感知デバイスからのデータの表示のためのソフトウエアは、無料又は非常に低額であるが、ソフトウエア又は感知デバイス、又はこれらの両方のコストの助成を達成するのに役立つように広告と共に現れる。測定又はデータ取得及び分析中に再生されるように構成することができる広告部分が完了した後に、例えば、図７２に示すように測定結果を表示することができる。
【００７５】
図７３に示すもののような表示ソフトウエアのアップグレードバージョンは、例えば、感染リスク、脳卒中リスクのような追加情報をユーザに提供するように構成することができる。そのようなアップグレードソフトウエアは、より高度な感知デバイスを購入する誘因として追加のコストで提供するか又は無料で提供することができる。
【００７６】
ソフトウエアは、図７４及び図７５に示すように、両方のＡＢＴＴ終端１６に関するデータを提供し、電子デバイス４１２の表示区域４１６に示すように、図６６Ｂのマップ３９２のような表示データを含む分析及び／又は診断を提供するように更にアップグレードすることができ、広告を伴わないとすることができる。図７３に図示の実施形態の場合のように、この実施形態は、より高度な感知デバイスを購入する誘因として追加のコストで提供するか又は販売促進のデバイスとして無料で提供することができる。
【００７７】
本発明の開示の例示的実施形態による感知デバイス１０は、ハンドル部分２４を含む。アーム部分２４として説明する場合もあるハンドル部分２４は、オペレータ又はユーザが感知デバイス１０を保持するために使用することができる。図１〜図１７に示す例示的実施形態において、アーム部分又はハンドル部分２４は、調節可能接続機構２６によって本体部分に接続され、それによってハンドル部分２４は、本体部分２０に対して調節可能に位置決めされ、それに調節可能に接続され、ハンドル部分２４の複数の向きを達成することができる。アーム部分又はハンドル部分２４の調節可能性は、複数のデバイス保持構成を可能にする。ハンドル部分２４を含む例示的実施形態の感知装置１０は、オペレータが、別の人の温度測定値又は自分自身の温度測定値のいずれを取得することができるように構成される。
【００７８】
第１のシナリオでは、医師又は他の医療実務者が、患者又は被検者の体温を測定するために感知装置１０を使用することができる。単一感知デバイス１０が本明細書で説明する２つの用途を有するために、本発明の開示の実施形態の一態様は、調節可能アーム部分２４が、測定中に感知デバイス１０のより良い均衡を可能にするものである。一実施形態において、アーム部分２４は、図１に示すような本体部分２０に対して一直線又は１８０度の構成から図２に示すように９０度の垂直な向きにアーム位置を回転させることを可能にするヒンジ、ネジファスナ、及び／又は他の適切な調節可能接続法を含むことができる調節可能接続機構２６を用いて本体部分２０に接続される。
【００７９】
図２の１８０度の向きは、オペレータがＩＲ感知デバイス１０を自分自身に対して、使用中に感知デバイス１０が、最適に均衡が取られ、かつ安定するように使用することを可能にする。オペレータは、感知デバイス１０を用いてＡＢＴＴターゲット区域１６に届くための理想的な角度を達成するように、自分の腕を伸ばした状態で感知デバイス１０を快適に使用することができる。これに代えて、図２の９０度の向きは、オペレータが別の人の測定値を取得するためのより良い安定性及び均衡を与える。９０度の向きは、均衡に影響を及ぼすことなく肘を身体の近くに容易に保つことができるので、使用中にオペレータに対してより良い位置決めも可能にする。この向きは、感知デバイス１０を空間が制限される可能性がある医院型の環境のような臨床環境に対して使用することを可能にする。
【００８０】
代替実施形態において、アーム部分２４は、９０度と１８０度の間のあらゆる適切な縦の向きに位置決めすることができる。図２〜図６に提供しているように、アーム部分２４は、それを左又は右に９０度だけ回転させることを可能にする調節可能接続機構２６によって本体部分２０に結合することができ、それによって図１、図４、及び図６に示すハンドル部分２４の上述の垂直の向きとは対照的に、図３及び図５に示すようにハンドル部分２４が水平平面内で本体部分２０と９０度の向きで静止することが可能になる。代替実施形態において、ハンドル部分２４が本体部分２０に対して９０度の向きにある時に、ハンドル部分２４を本体部分２０の周りに３６０度全回転させることができるように、調節可能接続機構２６は、３６０度の回転を許すことができる。図１１及び図１２に示すように、調節可能接続機構２６は、ハンドル部分２４の向きが本体部分２０に対して１８０度に定められている時に、ハンドル部分２４を本体部分２０の周りに回転させることを許すことができる。本体部分２０に対するアーム部分２４の多くの調節可能な向きは、オペレータがアーム部分２４を使用するのに最も快適であり、更に最も重要な点としてＡＢＴＴ終端区域１６の解剖学的構造に対して調節され、それによって最適な測定が可能になるように位置決めすることを可能にする。
【００８１】
図１３〜図３９では、ハンドルの向きが固定され、調節することができないようにアーム部分が本体部分に移動不能に締結される代替実施形態を見ることができる。図１３〜図１５は、アーム部分２０２が本体部分２０４に対して約９０度の向きに移動不能に固定された感知デバイスの例２００を示している。この向きは、オペレータが別の人の測定を管理する医院のような環境に使用されるデバイスに対して理想的である。図１８〜図２２は、アーム部分又はハンドル部分２３２が本体部分２３４に対して約１８０度の向きに移動不能に固定された感知デバイス２３０を示している。この向きは、オペレータが自分自身の温度測定値を取得する家庭用途又は類似の環境のためのデバイスに対して理想的である。
【００８２】
一部のユーザに対してはＡＢＴＴ終端１６を容易に探し出すのは困難である可能性がある。従って、例示的実施形態において、図１３〜図１５に示すように、感知デバイス２００の一部分に鼻インタフェース２０８を取り付けることができる。鼻インタフェース２０８は、感知デバイス２００の感知部分２１０上に位置決めすることができる。鼻インタフェース２０８は、ヒトの鼻と相互作用するように構成された空洞２２０を含むことができる。鼻インタフェース２０８は、様々な鼻のサイズ及び形状に対して調節可能なものとすることができ、一般的にプラスチック又はフォームのような軟質材料又は詰め込み材料で形成されることになる。鼻インタフェース２０８は、ＡＢＴＴ終端１６に対する感知部分２１０の向きを絞り込むために、感知部分２１０に対する向きを調節可能なものとすることができる。鼻インタフェース２０８は、恒久的に固定されたもの又は取外し可能で使い捨てとすることができる。
【００８３】
様々な実施形態において開示するハンドル部分又はアーム部分は、木材、金属、合金、プラスチック、又は他の合成物質のようなあらゆる適切な材料で構成することができることを理解しなければならない。アーム部分は、取外し可能又は取り外し不能、使い捨て、再使用可能などとすることができるゴム、プラスチック、又は天然又は合成の他の把持面で覆うことができる。アーム部分はまた、自由端の指グリップ、弱い膨らみ、曲率、又は丸みを有する人間工学形状を有するように構成することができる。アーム部分は、より良い均衡及び制御を可能にするように適切に加重することができる。
【００８４】
例示的実施形態において、感知デバイス１０は、その測定機能及び他の機能を起動するために感知デバイス１０の外側部分の上に位置付けられたスイッチ２８を含む。図１に示す一例示的実施形態において、スイッチ２８は、感知デバイス１０の本体部分２０の下側７０で感知デバイス１０の本体部分２０の外面上に設置することができる。この構成は、スイッチ２８がアーム部分２４の変化する向きによる影響を受けないので、調節可能ハンドル特徴部を含む感知デバイス構成に対して理想的である。別の例示的実施形態において、スイッチは、図２に示すようなトリガスイッチ２９として構成することができることを理解しなければならない。代替実施形態において、図１３及び図１４に示すように、アーム部分２０２が本体部分２０４に対して９０度の向きに移動不能に固定される場合に、スイッチ２８をアーム部分２０４と並ぶように設置することができる。この向きは、測定がオペレータによって別の人に対して管理される場合の用途に対して理想的である。この「トリガ状」構成では、感知デバイス２００を例えば人差し指の簡単な作動によって起動することができる。図１８及び図２０に示す更に別の実施形態において、アーム部分２３２が本体部分２３４に対して１８０度の向きで移動不能に固定される場合に、スイッチ２８をアーム部分２０２の上側２０６に設置することができる。この構成は、アーム部分２０２を把持するときの人差し指を用いた自分に対するオペレータのより容易な管理を可能にする。図２３及び図２４には、スイッチ２８が、感知デバイス２４０のアーム部分２４４の下側２４２に位置決めされた場合のこの１８０度の向きを同じく示している。この構成は、感知デバイス２４０が、例えば、親指のアクションによって起動される自律管理を可能にすることになる。複数のスイッチに加えて、スイッチのあらゆる組合せを使用することができることを理解しなければならない。
【００８５】
例示的実施形態において、スイッチ２８は、オペレータによって物理的に起動されるハードキー型のものである。代替実施形態において、スイッチ２８は、１又は２以上のソフトキー、タッチ画面、音声指令、遠隔制御、又は他の作動構成を用いて起動することができ、この起動は、セル電話、腕時計、タブレット、又はいずれかのコンピュータデバイスを通じた無線又は有線の起動を含む。
【００８６】
例示的実施形態において、スイッチ２８は、感知部分１２のようなＩＲ感知部分を起動することによって温度測定又は物質又はいずれかの検体の濃度のような他の測定を起動するように構成される。代替実施形態において、スイッチ２８は、感知デバイスを起動／停止させるために、又は感知デバイスによって生成された情報の表示、格納、又は送信を起動するために使用することができる。
【００８７】
本明細書で説明するようにＡＢＴＴ  ＩＲ感知デバイスを用いて測定値が得られる時には、多くの場合に、観察者又は温度が測定されている人は、ＡＢＴＴ終端１６の場所に起因して測定中に眼に非常に近い位置に向けられる感知部分に対して驚愕反応を有することになる。物体が眼に向いて来るように見える時には、多くの場合に、身を引く、後ずさりする、又は他に頭を当該物体から移動するのが野性の本能である。ＡＢＴＴ赤外線感知デバイスの使用に関連付けられた驚愕反応の一部を軽減するために、例示的ＡＢＴＴ感知デバイスは、感知部分１２の接近中及び測定値が得られている間に身を引く動き、後ずさりする動き、又は他の頭の動きを低減するために、患者又は被検者の注意を感知部分１２から逸らすのを助ける表示部分３０を含むように構成される。表示部分３０は、例えば、患者が親しみ易いアニメーション、面白い短編映像、ビデオ、写真などを含むことができる。
【００８８】
本明細書で開示する感知デバイス又は装置の例示的実施形態は、多くの場合に、図１に示す表示部分３０のような表示部分を含む。表示部分３０は、スライド画面、デジタル表示器、標準ディスプレイなどを代表的なものとすることができる。表示部分３０は、少なくとも図１に示すように、上側部分７２と下側部分７４を含むことができる。下側部分７４は、感知デバイス１０の本体部分２０上に位置決めされてそこに取り付けられ、本体の上側部分３２上に位置決めされてそこに取り付けることができる。上側部分７２は、下側部分７４上に位置決めされてそこに取り付けられ、患者又は被検者の視野内に延びるように構成される。感知デバイス又は装置は、ＡＢＴＴ終端１６を撮影するためにビデオカメラ又は写真カメラ（図示せず）を含み、ＡＢＴＴ終端１６と相互作用するのに適正な場所に装置を位置決めするのを容易にすることができ、得られた画像は表示部分３０上、又はこれに代えてセル電話、コンピュータ、腕時計などのような個別デバイスの画面上に表示されることを理解しなければならない。
【００８９】
本発明の開示に使用する「スライド画面」という言葉は、電子画面、デジタル画面、ＬＥＤ画面、ＯＬＥＤ画面、ＬＣＤ画面、プラズマ画面などを含む画像又は言葉を表示するためのいずれかの装置又はデバイスを示すことができることを理解しなければならない。
【００９０】
本明細書では、スライド画面を例示的実施形態では矩形又は正方形の形状を有し、ＡＢＴＴ終端１６において行われる測定によってＡＢＴＴを通して体温又はいずれかの生体パラメータを測定するための感知デバイス又は装置１０の本体部分２０に移動可能又は移動不能のいずれかで固定することができる比較的小さい構成要素として定める。スライド画面又は表示部分３０の下側部分７４は、感知デバイス又は装置１０の本体部分２０の上側３２に固定され、感知デバイス又は装置１０が使用状態にある時にスライド画面又は表示部分３０の自由端又は無支持端部７６が患者又は被検者の視野内に延びるように硬質材料で製造される。硬質材料は、例えば、プラスチック、硬質紙、又は他の合成材料とすることができる。表示部分又はスライド画面３０を見る人は、患者、被検者、医師、又は他の医療実務者、又は測定値を取得する他の個人とすることができ、表示部分又はスライド画面３０を見るいずれかの人を見る人又は観察者と説明することができることに注意しなければならない。表示部分３０は、画像を２つの反対方向に表示するように構成することができるので、感知部分１２と同じ側の観察者を患者又は被検観察者として説明することができ、表示部分３０の反対側の観察者を看護師のような検査者又は監視者として説明することができる。
【００９１】
図１〜図２９に示すように、表示部分３０は、上にある水平に向けられた矩形又は正方形の部分７２と下にある垂直に向けられた部分７４とを含む。図３０〜図３４に示す代替実施形態において、感知デバイス１２８は、表示部分１３０と本体部分１３４とを含む。表示部分１３０は、下側部分又は取り付け部分１３６によって本体部分１３４に取り付けられた正方形側面又は上側部分１３２を含む。図３５〜図３９に示す別の代替実施形態において、感知デバイス又は装置１５０は、本体部分１５２と、そこに位置決め及び／又は取り付けられた表示部分１５４とを含む。表示部分又はスライド画面１５４は、薄くて小さめの矩形として示す上側部分又は側面部分１５６と、上側部分１５６を本体部分１５２に取り付けるように構成された下側部分又は取り付け部分１５８とを含む。スライド画面又は表示部分１５４は、それが患者、被検者、検査者、又は監視者とすることができる観察者の視野内に延びる限り、複数の形状及びサイズのうちのいずれかとすることができることを理解しなければならない。
【００９２】
図１〜図２９に示すスライド画面又は表示部分３０は、感知部分１０のアーム部分２４のようなデバイスのアーム部分の近くで感知デバイス１０の本体部分２０のような感知デバイスの本体部分の外側中心に位置決めされ、装着され、又は取り付けられる。従って、図１、図２、図１１、図１２、図１３、図１５、図１６、図１８、図２０、図２１、図２３、及び図２５に示すように、感知デバイスが使用状態にある時に、スライド画面３０は、患者又は被検者の視線内に直接に位置決めされ、両方の眼で見ることができる。例示的実施形態において、スライド画面又は表示部分３０は、感知デバイスの本体部分、例えば、感知デバイス１０の本体部分２０上の特定の固定位置に装着又は取り付けられる。別の実施形態において、スライド画面のディスプレイ上にフォーカスさせる観察者の機能をより確実に促進するために、スライド画面を本体部分の軸に水平に沿って観察者の近く又は遠くに移動することができる。スライド画面は、眼の比較的近くに、例えば、眼から１５ｃｍよりも短い場所に位置付けられた場合の画像のフォーカスを容易にするために様々なレンズを含むことができる。
【００９３】
第２の自由端２２からデバイス２６に近い本体２０までの表示器部分３０の例示的距離は１０ｃｍであり、第２の自由端２２からデバイス２６に近い本体２０までの表示器部分３０の距離は好ましくは、１５ｃｍであり、より好ましくは、２５ｃｍであり、非常に好ましくは、４０ｃｍである。図２７Ａでは、表示器部分３０は、回転機構２５を含むように構成される。表示器３０は、ハンドル２４上に装着又は位置決めされるように構成される。例示的実施形態において、ハンドル２４は、表示器３０の保存のためのハウジング２７を含むように構成される。ハンドル２４における表示器３０の位置は、図２７Ａに示すように、患者が表示器３０を見るのにより良い距離を可能にする。
【００９４】
図３０〜図３９に示す代替実施形態において、下側部分又は取り付け部分が本体部分の上面上に装着され、位置決めされ、又は取り付けられる他の実施形態とは反対に、下側部分又は取り付け部分１３６又は１５８は、本体部分１３４又は１５２の一方の側部に装着され、位置決めされ、又は取り付けられる。スライド画面又は表示部分は、感知デバイスの本体部分のいかなる側にも位置決めすることができる。スライド画面又は表示部分は、観察者の好みを満たすために、更にいかなるＡＢＴＴターゲット区域、すなわち、左のＡＢＴＴ終端又は右のＡＢＴＴ終端が測定されているかに依存して両側の間で容易に位置交換又は移動されるように構成することができる。
【００９５】
本発明の開示の例示的実施形態において、スライド画面部分は、観察者の注意をデバイスの感知部分から逸らすために内部に画像又はテキストが表示される形態の設計を有することになる。この実施形態において、画像又はテキストは、プリント画像、レンダリング画像、又は投影画像とすることができ、例えば、漫画、引用文、写真、又は他の静止画像、ビデオクリップ、又は広告を表示することができる。測定されている患者又は被検者の注意を感知デバイスの感知部分から逸らすことになる画像及びテキストのあらゆる組合せを組み込むことができることを理解しなければならない。そのような画像又はテキストは、不揮発性メモリに格納することができ、コンピュータ、衛星受信機、ケーブルボックスなどのような別のデバイスから無線受信することができ、又はインターネット又はセルラーシステムから無線受信することができる。
【００９６】
例えば、スライド画面設計が広告である場合に、現在のスライド又は画像を削除し、最新の広告を有する別のもので置換する必要がある可能性がある。例示的実施形態において、スライド画面又は表示部分は、スライド画面を取外し可能なものにすることを可能にするいくつかのスライド機構、並びにピン又はクリップのようなファスナを用いて装着又は構成することができる。好ましい実施形態において、スライド画面の下側部分は、感知デバイスの本体部分の受容部分（図示せず）と接続するように設計され、表示部分が感知デバイスの本体部分に装着された時に表示部分を起動することを可能にする回路（図示せず）を含む。例示的実施形態において、スライド画面が適切な場所に位置決め又は装着されていない場合に感知デバイスを起動することができないように、感知デバイスのスイッチ２８をスライド画面の接続部に関連付けることができる。
【００９７】
例示的実施形態において、スライド画面又は表示部分は、それ自体を感知デバイスの電気回路（図示せず）と接続するための無線周波数ＩＤ（ＲＦＩＤ）タグ、チップ、電気パッド、又は他の装置を有することができ、それによって測定に向けて感知デバイスを起動する。この例示的実施形態の変形では、オペレータは、感知デバイスを用いて測定値を取得し続けるために新しいスライド画面又は表示部分を時々に購入することが必要になる。スライド画面又は表示部分は、有効期限を用いて特定のスライド画面又は表示部分の有効期間を決定し、すなわち、特定のスライド画面又は表示部分が測定に向けて感知デバイスを起動することができる期間又は間隔を決定することを可能にするために不揮発性メモリ又は時間モニタ装置を含むことができる。別の例示的実施形態において、デバイスの使用のための特定の期間を与えるクロック（図示せず）を使用することができる。更に、感知デバイスの有効期間及び／又は利用可能測定回数を決定するために、感知デバイスの内部回路（図示せず）の一部としての内部クロック又は内部カウンタを使用することができる。この例示的実施形態は、スライド画面又は表示部分を含む実施形態に加えて、温度計又は他の測定デバイスの従来のあらゆる実施形態に対して使用することができることに注意しなければならない。更に別の例示的実施形態において、感知デバイスのスライド画面又は本体部分は、閾値期間を超えてしまって現在のスライドを交換しなければならない時をオペレータに通知するように構成されたコントローラ又はプロセッサ（図示せず）を含むことができる。
【００９８】
代替実施形態において、スライド画面は、例えば、ビデオの形態にある画像が表示されるＬＣＤ画面とすることができるディスプレイで構成することができる。この実施形態において、デバイスのスライド画面又は本体部分は、必要な回路及びコントローラ又はプロセッサ（図示せず）に加えて、インターネット接続又は無線送信の機能、並びにスピーカ、オーディオジャック、イヤホン接続部、又は観察者にオーディオコンテンツを提供するための他の構成要素を含むことができる。そのような実施形態において、新しいコンテンツは、スライド画面を物理的に取り外して交換する必要なくアップロードすることができるので、スライド画面は取外し可能である必要がなくなる。
【００９９】
代替実施形態において、スライド画面又は表示部分は、観察者とオペレータの両方共にコンテンツが提示されるように両側で静止画像又はビデオ画像のいずれかの形態にあるコンテンツを表示するように構成することができる。スライド画面又は表示部分は、両側で同じ情報を表示することができ、又は観察者及びオペレータの各々に対して異なるコンテンツを表示することができる。例えば、医院内に使用されるデバイス上には、消費者を意図する広告を観察者に向くディスプレイの部分上に表示することができる。一方、オペレータに向く反対側では、ディスプレイは、ＡＢＴＴ終端１６を位置付けるのに役立つ熱表示又は例えば医療専門家を意図する薬剤広告とすることができる広告を提示することができる。以上の説明に従って二重ディスプレイを有するスライド画面は、あらゆる適切な材料で構成することができ、あらゆる適切な形状及びサイズとすることができることを理解しなければならない。代替実施形態において、スライド画面は、各々が同じ構成要素内にあるが反対方向を向くビデオコンテンツのためのＬＣＤディスプレイなどのような２つのディスプレイを有することができる。この二重面ディスプレイは、両側で同じコンテンツを表示するように接続することができる。これに代えて、二重面ディスプレイは、２つの独立した画像を表示することを可能にするために、独立したもの、個別に接続したもの、又は接断されたものとすることができる。
【０１００】
代替実施形態において、スライド画面構成要素、デジタル表示器、又はディスプレイは、上述のように手持ち式デバイス上に装着される代わりに、ＡＢＴＴ終端１６を用いて生体パラメータを測定し、継続モニタし、又は治療するための別の支持構造体上に装着することができる。そのような支持構造体の非限定的な例は、クリップ、眼鏡、ゴーグル、マスク、ヘルメット、キャップ、頭バンド、及び卓上又は壁掛けを含む着用不能支持構造体である。本明細書で開示する装置は治療に向けて使用することができ、そのような実施形態において、感知部分は、ＡＢＴＴ終端２０に高温又は低温、又はあらゆる他のタイプの電気エネルギ又は電磁エネルギを送出するための装置、デバイス、又は機構を含むもののような治療部分で置換されることを理解しなければならない。
【０１０１】
家庭用途、又はミラーが容易に利用可能ではない場所でＡＢＴＴ感知デバイスが使用されるか又はそこに搬送される他の状況では、人が自分自身の測定値を取得するのを可能にするそのようなミラーを提供することが好適になる。図４９〜図５１に示して全体的に３００で示す搬送容器内にミラーを組み込むことができる。搬送容器３００は、ＡＢＴＴ感知デバイスを保持するように構成された保存区画３０２と、蓋部分３０４とを含む。蓋部分３０４は、第１の端部３０６であって、その上に位置決めされたピボット軸３１０の周りの約２７０度の回転を可能にするためにヒンジ又は磁気装置によって保存区画３０２に移動可能に固定又は取り付けられた第１の端部３０６と、蓋部分３０４の第２の端部３０８であって、そこに位置付けられた棚ピボット軸３１４の周りに少なくとも４５度回転するように構成された棚部分３１２を含む第２の端部３０８と、蓋部分３０４に固定されたミラー部分３１６とを含む。
【０１０２】
搬送容器又は搬送箱３００は、家庭使用環境において感知デバイス又は装置の安全な保存を可能にするように構成され、更に例えば家庭から離れた旅行、スポーツイベント、競技大会、及び屋外活動のような環境においてＡＢＴＴ感知デバイスを温度測定に向けて容易に利用可能にすることができるような搬送のための容器を与えるように構成される。搬送容器３００の保存区画３０２は、移動中に感知デバイスがあちこちにシフトしないようにＡＢＴＴ感知デバイスのサイズ及び形状に正確に合致するように設計されたインサート（図示せず）を含むことができる。このインサートは、ＡＢＴＴ感知デバイスの特定の部分を保持するように成形されたフェルト又は布、フォーム、ゲル、又は衝撃保護材料内に包まれたプラスチックのような軟質で保護性を有するあらゆる適切な材料で製造することができる。箱自体の組成と、いずれかのインサート又は詰め物を含む保存区画の内側の内部組成の両方に対してあらゆる適切な材料を使用することができることを理解しなければならない。例示的実施形態において、ミラー付き蓋部分３０４は、ユーザが自分の顔面を容易に見ることを可能にするように設計される。ＡＢＴＴ感知デバイス又はＡＢＴＴ感知装置は手持ち式デバイスであるので、感知デバイスは、必ずしもミラーが容易にアクセス可能である場合に作動されるわけではない可能性がある。スポーツイベント又は屋外活動のような状況では、上述のように、ミラーを見つけるのが困難である可能性がある。図４９〜図５１に示すように、搬送容器３００は、蓋部分３０４が、搬送容器３００の底面部分３１８に対して約９０度の角度を形成し、それによって支持アームとしての機能をもたらすように、蓋部分３０４を蓋ピボット軸３１０の周りに約２７０度回転させることができるように構成及び位置決めされる。搬送容器３００の安定性は、保存区画３０２及び蓋部分３０４内に付加的な磁気ファスナ又はヒンジのような他の適切なファスナを含めることによって得られる。この構成は、ミラー３１６を安定して広げることを可能にし、従って、この場合に、ユーザは、保存容器３００を手で保持又は支持する必要なく、感知デバイスを用いた測定に向けて感知部分を案内するためにＡＢＴＴターゲット区域１６を容易に見ることができる。測定値が得られると、ＡＢＴＴ感知デバイス又はＡＢＴＴ感知装置は、保存区画３０２に戻すことができ、次いで、蓋部分３０４は、保存区画３０２に対するカバーとして機能するように元の位置に戻すことができる。
【０１０３】
上述のように、装置の感知部分は、脳温測定データ又はいずれかの生体パラメータデータを収集するためのセンサを含む。更に、このセンサは、データを送信、変換、報告、及び格納するように構成された入出力結合回路、表示回路、プロセッサ、コンバータ、コネクタ、及び非一時的メモリ（図示せず）のような様々なデバイス、装置、又は機構に接続される。例示的実施形態において、これらの構成要素は、感知デバイス１０の本体部分２０のような感知デバイスの本体部分内に位置付けられ、適切な回路及び線を用いて感知デバイス１０の感知部分１２のような感知装置の感知部分に接続される。代替実施形態において、システム構成要素は、感知部分自体内に設置することができ、又はデバイスの別の部分内に適切に設置することができる。システムの構成要素は、バッテリ又は他のそのような内部電源（図示せず）のような電源に接続される。電磁誘導結合を通して外部から充電される超コンデンサー及び外部発振器によって再充電することができる電池を含む電磁結合のような様々な外部電源を使用することができることを理解しなければならない。
【０１０４】
温度測定値を報告及び表示するためには、最終測定値をユーザに送信するように感知装置を構成しなければならない。受信機を用いないユーザへの直接送信は、特定の温度閾値を得たか又は超えた時を警告するように構成された簡単な光又は音のアラーム（図示せず）の形態にあるとすることができる。そのようなアラームは、１又は２以上の光及び音の組合せを使用することができることを理解しなければならない。音は、ブザー音、ビープ音、又は他の送信音のような騒音とすることができ、又はヒトの音声又は他のそのような音の再生音とすることができる。測定データは、感知デバイス１０の表示部分３０のような感知装置内に組み込まれたデジタル画面又はＬＣＤ画面上に数値として表示することができる。そのような実施形態において、システムは、温度値をディスプレイに伝達するためのディスプレイ出力モジュールを含むことができる。そのような出力モジュールは、データの適正なフォーマット設定を提供するソフトウエア部分と、表示に向けて情報を構成するためのハードウエア部分とを含むことができる。数値を表示することに加えて、データは、図表、スペクトル、又は他の視覚データ提示配置の形態で表示することができる。
【０１０５】
本発明の開示には、温度データ及び／又は生体パラメータデータを遠隔送信するための装置も含まれる。そのような装置は、出力送信機モジュールと受信機モジュール（図示せず）を含む。データの送信は、受動的無線送信、能動的無線送信、又は固定ケーブルによる通信を用いて実行することができる。音は無線波よりも水によって減衰され難いので、特に水中で変調音信号を用いて信号を送信することができる超音波超小型回路を送信に使用することができる。代替実施形態において、出力送信モジュールは、無線セルラーネットワーク、インターネットネットワーク、電話ネットワークなどを通してデータを送信するように構成することができる。
【０１０６】
本発明は、温度検出中にＡＢＴＴ終端１６の近くに位置決めされる温度検出器を与える段階と、ＡＢＴＴ終端区域１６において検出又は感知される赤外線放射線に基づいて温度を決定する段階とを含む体温を検出する方法を更に提供する。別の実施形態において、本方法は、皮膚面上のＡＢＴＴ終端１６の解剖学的構造に基づいている。本方法は、涙点から瞼の中央に至るまで眼と眉の間の皮膚区域を辿りながら瞼の曲率に沿うプローブ又は感知部分の弓形移動を用いた眼と眉の間の区域の走査を含む。そのような走査は、眼と眉の間の主な開始点から顔面の他の区域、頭、及び首に延びることができ、これに代えて涙点及び結膜区域を含む。本方法は、ＩＲセンサ４２を含む感知部分１２のようなセンサを眼と眉の間に位置決めする段階と、眼と眉との間で横方向移動、垂直移動、又は円形移動を生成する段階とを含み、感知デバイス内のコントローラ又はプロセッサは、最高温度を識別してこの高温を報告するようになっている。ＡＢＴＴ終端１６は、図６２に示すように、眼３２４及び眉３２６に加えて鼻３２２を境界として有することができ、ＡＢＴＴ走査区域３２８は、これらの境界によって囲まれた区域を含むことができることを理解しなければならない。好ましくは、ＡＢＴＴ走査区域３２８は、図６２に示すように、鼻３２２と、眼と眉の間の区域の内側３分の１とで囲まれた区域を含む。例示的実施形態において、走査区域３２８は、ＡＢＴＴ終端１６との比較に向けて測定することができるＡＢＴＴ終端１６を取り囲む直径で１０センチメートルの区域である。別の例示的実施形態において、走査区域３２８は、ＡＢＴＴ終端１６との比較に向けて測定することができるＡＢＴＴ終端１６を取り囲む直径で８センチメートルの区域である。更に別の例示的実施形態において、走査区域３２８は、ＡＢＴＴ終端１６との比較に向けて測定することができるＡＢＴＴ終端１６を取り囲む直径で６センチメートルの区域である。更に別の例示的実施形態において、走査区域３２８は、ＡＢＴＴ終端１６との比較に向けて測定することができるＡＢＴＴ終端１６を取り囲む直径で３センチメートルの区域である。走査区域は、好ましくは、眉までで切断された眉の下の円の区域を含むことを理解しなければならない。
【０１０７】
ＡＢＴＴ終端１６を識別することのフィードバックを与えるために、一連の音を使用することができる。音の欠如は、ＡＢＴＴ終端１６が周囲の皮膚よりも高い温度を有する一般的な状況では、眼と眉との間で最高温度が見つかったことの指標であり、ＡＢＴＴ終端１６が周囲の皮膚よりも低い温度を有するそれ程一般的でない状況では、眼と眉との間で最低温度が見つかったことの指標である。感知デバイス内の１つのライト又は一連のライト（例えば、ＬＥＤ）も、眼と眉の間の区域の最高温度が見つかった時に照明を停止することになる。これらの段階は、ＡＢＴＴ終端１６に対応する眼と眉の間の皮膚に対応する皮膚上に静止するか又はこの皮膚に接触することなく皮膚を表示するように温度センサ（接触又は非接触）を位置決めする段階を含む。次の段階は、眼と眉の間の区域を網羅するＩＲセンサによる運動であって、好ましくは、眼と眉の間の溝の曲率に沿い、より好ましくは、眼と眉の間の区域の鼻に近い内側部分（又は鼻部分）の曲率に沿う運動を生成する段階を含む。走査は、本明細書で説明する直径を自動的に走査する段階を含むことができる。眼と眼の間の区域を使用することができ、更に左のＡＢＴＴ終端２０と右のＡＢＴＴ終端２０の両方を走査又は測定することができることも理解しなければならない。その後の段階は、眼と眉の間の最高温度を検出する段階（周囲の皮膚がＡＢＴＴ終端１６よりも暖かい状況を除く）と、次いで、眼と眉の間の最高（又は最低）温度を報告する段階とを含む。
【０１０８】
感知デバイス又は装置は、様々な作動モードで作動することができる。１つのそのような作動シーケンスを図５３〜図５９で説明する。図５３は、全体的に２５０で示す感知過程を示している。感知過程２５０は開始過程２５２で始まり、様々なレジスタをゼロ又はデフォルト値にリセットすることができ、システムに電力が供給され、感知デバイス１０のような感知デバイスに対する他の初期化機能が実施される。開始過程２５２が終了した状態で、制御は、開始過程２５２から広告シーケンス表示２５４に移る。
【０１０９】
広告シーケンス表示２５４では、ディスプレイ又は表示部分３０のようなディスプレイ又は表示部分が、図５４に示すもののような「測定中」画面を表示することができ、それに図５５〜図５８に示すもののような一連の広告が続く。１又は２以上の広告の表示中に、ディスプレイ３０の一部分は、例えば、表示部分３０上のいずれかの場所に「測定中」を示すことにより、感知デバイスが温度を測定していることを示すことができる。広告シーケンスが始まると、制御は、広告シーケンス表示２５４からセンサデータ受信過程２５６に移る。
【０１１０】
センサデータ受信過程２５６では、感知部分１２に位置決めされたＩＲセンサ４２のようなＩＲセンサからデータが受信される。データは、後の処理に向けて格納場所（図示せず）に格納される。ＩＲセンサ４２からデータが受信された状態で、制御は、センサデータ受信過程２５６からセンサデータ解析過程２５８に移り、そこで、温度又はグルコースのようないずれかの生体パラメータのようなＩＲセンサ４２から受信した信号の１又は２以上の特徴を決定するために、ＩＲセンサ４２から受信したデータが解析される。次いで、制御は、センサデータ解析過程２５８から視野（ＦＯＶ）補償実施過程２６０に移る。
【０１１１】
ＦＯＶ補償実施過程２６０において、非ＡＢＴＴ終端データを補償するために、ＩＲセンサ４２からのデータが解析される。そのような解析は、ピーク値よりも低い温度の簡単な幾何学的減算、ピーク温度区域の積分、曲線当て嵌め、又は他の解析による場合がある。一部の実施形態において、感知デバイスは、時間と共に相対温度を測定し、そのような補償を不要とすることができ、図示していない任意的な制御を通して選択解除することができる。ＩＲセンサ４２からのデータが解析され終わった状態で、制御は、データ検査過程２６２に移る。
【０１１２】
データ検査過程２６２では、補償されたデータの有効性が検査される。データが適切でない場合に、例えば、図示の温度が予想された予め決められた限界外にある場合に、制御は、補償パラメータ調節過程２６４に移る。図示の温度データが適切である場合に、制御は、温度制限過程２６６に移る。
【０１１３】
補償パラメータ調節過程２６４では、ＦＯＶ補償過程２６０を再度実施する前に、補償パラメータが修正される。補償パラメータが調節された状態で、過程２５０は、上述のようにＦＯＶ補償過程２６０を続ける。
【０１１４】
温度制限過程２６６に戻ると、温度が予め決められた限界を超えたか否かが決定される。例示的実施形態において、予め決められた温度は、１０４度Ｆとすることができる。予め決められた温度制限に達したか又は超えた場合に、制御は、温度制限過程２６６から温度及びガイダンス表示過程２７０に移る。そうでなければ制御は、温度制限過程２６６から広告シーケンス完了過程２６８に移る。
【０１１５】
広告シーケンス過程２６８では、それまでに表示されていた広告シーケンスは、図５７に示す表示から図５８に示す表示に移行され、図５８に温度として示すセンサデータは、図５７からの広告の一部分の上に表示される。図５８の例では、温度は、図５７に示す車のナンバープレートの拡大部分の上に表示される。類似の移行は、商業店舗又は販売業者店舗に具備の看板、商品のパッケージ、広告に関連付けられた他の画像からのものとすることができる。更に、図５８に示すように、温度は、スポンサーによって「貴方にもたらされる」。例示的実施形態において、温度データは、広告の時間に関して、更に、温度値がどのように表示されることになるかに関して不規則方式で示されるように構成される。例えば、自動車広告では、数値情報データ、例えば、温度データでナンバープレートの番号を置換することができる。別の例示的実施形態において、食料雑貨店の広告は、商品の価格を数値、データ、又は情報で置換することにより、数値、データ、又は情報、例えば、温度データを示すことができる。
【０１１６】
図５７及び図５８に示す対話的広告の恩典は、スポンサーからの支払いを感知デバイスのコストを助成するのに役立てることができ、本明細書で説明する例示的デバイスを家庭用途、並びに医院及び病院のような臨床用途に対してより手頃なものにする点である。ユーザが広告に興味を示さない場合に、広告を排除するための特定の感知デバイスに対するコードを購入するための選択肢を提供することができ、この場合に、１つのデバイス内のコードのハッキング、及びハッキング結果を全ての他のデバイスに伝達することを阻止するために、各感知デバイスは、その独自の独特なコードを含む。装置は、コードを入力するためにキーパッド、タッチ画面、音声などのような入力装置、入力デバイス、又は入力機構を含むことを理解しなければならない。
【０１１７】
温度及びガイダンス表示過程２７０に戻ると、医師忠告の必要性、例えば、医師又は看護師への電話、受診、又は救急処置室への搬送の必要性を意味する可能性がある測定温度が予め決められた限界外にある場合に、温度データが得られるや否や、図５９に示す医療実務者からの支援を考慮すべきであるというガイダンスを有する表示が示される。図５９の表示内には後援メッセージを提示することができるが、それは、赤色のような色付きとすることができて治療又は医師忠告を依頼することの提案と共に点滅させることができる温度と比較して、従属的なもの、すなわち、小さめ又は控えめのものになる。
【０１１８】
過程２６８又は過程２７０が終了した状態で、１０秒から６０秒の範囲にある間隔のような適切な予め決められた間隔の後に、制御は終了過程２７２に移り、そこでバッテリ電力又は他の電力とすることができる電力を節約するために、表示部分３０、ＩＲセンサ４２、及び感知デバイスの他の部分の電源を落とすことができる。
【０１１９】
本発明の開示の様々な実施形態を図示して説明したが、これらの実施形態は、それ自体に限定されないことを理解しなければならない。当業者は、これらの実施形態を変更、修正、かつ応用することができる。従って、これらの実施形態は、本明細書にこれまでに図示して説明した詳細内容に限定されず、全てのそのような変形及び修正も含む。いずれかの実施形態の一連の部分のいずれの部分も、別の実施形態に対して使用することができ、これらの組合せの全てが本発明の開示の範囲にあることも理解しなければならない。
【符号の説明】
【０１２０】
１０  感知デバイス
１２  感知部分
１６  ＡＢＴＴ終端
３０  表示部分
３８  顔面
【図１】
2017501844.tif 000003
【図２】
2017501844.tif 000004
【図３】
2017501844.tif 000005
【図４】
2017501844.tif 000006
【図５】
2017501844.tif 000007
【図６】
2017501844.tif 000008
【図７】
2017501844.tif 000009
【図８】
2017501844.tif 000010
【図９】
2017501844.tif 000011
【図１０】
2017501844.tif 000012
【図１１】
2017501844.tif 000013
【図１２】
2017501844.tif 000014
【図１３】
2017501844.tif 000015
【図１４】
2017501844.tif 000016
【図１５】
2017501844.tif 000017
【図１６】
2017501844.tif 000018
【図１７】
2017501844.tif 000019
【図１８】
2017501844.tif 000020
【図１９】
2017501844.tif 000021
【図２０】
2017501844.tif 000022
【図２１】
2017501844.tif 000023
【図２２】
2017501844.tif 000024
【図２３】
2017501844.tif 000025
【図２４】
2017501844.tif 000026
【図２５】
2017501844.tif 000027
【図２６】
2017501844.tif 000028
【図２７】
2017501844.tif 000029
【図２７Ａ】
2017501844.tif 000030
【図２８】
2017501844.tif 000031
【図２９】
2017501844.tif 000032
【図３０】
2017501844.tif 000033
【図３１】
2017501844.tif 000034
【図３２】
2017501844.tif 000035
【図３３】
2017501844.tif 000036
【図３４】
2017501844.tif 000037
【図３５】
2017501844.tif 000038
【図３６】
2017501844.tif 000039
【図３７】
2017501844.tif 000040
【図３８】
2017501844.tif 000041
【図３９】
2017501844.tif 000042
【図４０】
2017501844.tif 000043
【図４１】
2017501844.tif 000044
【図４２】
2017501844.tif 000045
【図４３】
2017501844.tif 000046
【図４４】
2017501844.tif 000047
【図４５】
2017501844.tif 000048
【図４６】
2017501844.tif 000049
【図４７】
2017501844.tif 000050
【図４８】
2017501844.tif 000051
【図４９】
2017501844.tif 000052
【図５０】
2017501844.tif 000053
【図５１】
2017501844.tif 000054
【図５２】
2017501844.tif 000055
【図５３】
2017501844.tif 000056
【図５４】
2017501844.tif 000057
【図５５】
2017501844.tif 000058
【図５６】
2017501844.tif 000059
【図５７】
2017501844.tif 000060
【図５８】
2017501844.tif 000061
【図５９】
2017501844.tif 000062
【図６０】
2017501844.tif 000063
【図６１】
2017501844.tif 000064
【図６２】
2017501844.tif 000065
【図６３】
2017501844.tif 000066
2017501844.tif 000067
【図６３Ｂ】
2017501844.tif 000068
【図６３Ｃ】
2017501844.tif 000069
【図６３Ｄ】
2017501844.tif 000070
【図６３Ｅ】
2017501844.tif 000071
【図６３Ｆ】
2017501844.tif 000072
【図６３Ｇ】
2017501844.tif 000073
【図６３Ｈ】
2017501844.tif 000074
【図６３Ｉ】
2017501844.tif 000075
【図６３Ｊ】
2017501844.tif 000076
2017501844.tif 000077
【図６５】
2017501844.tif 000078
【図６６Ａ】
2017501844.tif 000079
【図６６Ｂ】
2017501844.tif 000080
【図６７】
2017501844.tif 000081
【図６８】
2017501844.tif 000082
【図６９】
2017501844.tif 000083
【図７０】
2017501844.tif 000084
【図７１】
2017501844.tif 000085
【図７２】
2017501844.tif 000086
【図７３】
2017501844.tif 000087
【図７４】
2017501844.tif 000088
【図７５】
2017501844.tif 000089
【国際調査報告】
2017501844.tif 000090